(57)【要約】【課題】室内空気の湿度制御を効率よく行い、室内湿度を短時間で一定とすることができる換気装置を提供すること。【解決手段】加湿量制御部２１により実行される加湿制御処理では、単位時間当たりの流入水分量と、単位時間当たりの流出水分量と、室内の体積とに基づいて、所定時間Ｔ後の家全体の水分量（室内空気の湿度）を予測し（Ｓ２）、その予測結果と目標とする家全体の水分量（目標湿度）とを比較して（Ｓ４）、その比較結果に基づいて加湿量を変更する。【選択図】図２
2019148408.tif 000002
【特許請求の範囲】
【請求項１】
室外側吸込口と室内側吹出口と室内側吸込口と室外側吹出口とを有する筐体と、
前記室外側吸込口と前記室内側吹出口とを連通する給気風路と、
前記室内側吸込口と前記室外側吹出口とを連通する排気風路と、
前記室内側吸込口から前記室外側吹出口へ空気を導く排気部と、
前記室外側吸込口から前記室内側吹出口へ空気を導く給気部と、
前記室外側吸込口から吸い込まれる空気の温度と湿度とを検出する室外側温湿度センサと、
前記室内側吸込口から吸い込まれる空気の温度と湿度とを検出する第１室内側温湿度センサと、
前記室外側吸込口から吸い込んだ空気を加湿する加湿部と、
前記室内における目標とする湿度である目標湿度を記憶する第１記憶部と、
前記室外側温湿度センサからの情報と前記給気部による給気風量とに基づいて前記室内に流入する流入水分量を算出する流入水分量算出部と、
前記第１室内側温湿度センサからの情報と前記排気部による排気風量とに基づいて前記室内から流出する流出水分量を算出する流出水分量算出部と、
前記流入水分量と前記流出水分量と前記目標湿度とに基づいて前記加湿部による加湿量を制御する加湿量制御部と、を備えた換気装置。
【請求項２】
前記加湿量制御部は、
さらに前記室内の相当隙間面積に基づいて前記加湿量を制御する請求項１記載の換気装置。
【請求項３】
前記加湿量制御部は、
さらに前記室内の体積に基づいて前記加湿量を制御する請求項１又は２に記載の換気装置。
【請求項４】
前記加湿量制御部は、
前記排気部または前記給気部の送風能力に基づいて加湿対象とする前記室内の体積を算出する室内体積予測部を備えた請求項３に記載の換気装置。
【請求項５】
前記加湿量制御部は、
単位時間当たりの前記流入水分量と、前記単位時間当たりの前記流出水分量と、前記室内の体積と、に基づいて所定時間後の前記室内における湿度を予測する湿度予測部と、
前記湿度予測部による予測結果と前記目標湿度とを比較する第１比較部と、を備え、
前記第１比較部による比較結果に基づいて前記加湿部を制御する請求項１から４のいずれかに記載の換気装置。
【請求項６】
前記加湿量制御部は、
単位時間当たりの前記流入水分量と、前記単位時間当たりの前記流出水分量と、前記室内の体積と、前記目標湿度と、に基づいて前記室内の湿度が前記目標湿度に到達する到達時間を予測する目標到達時間予測部を備え、
前記目標到達時間予測部が予測した前記到達時間に基づいて前記加湿部を制御する請求項１から５のいずれかに記載の換気装置。
【請求項７】
前記湿度予測部は、
さらに相当隙間面積に関連して前記単位時間当たりに前記室内に流入または流出する水分変動量にも基づいて所定時間後の前記室内における湿度を予測する請求項５記載の換気装置。
【請求項８】
前記目標到達時間予測部は、
さらに相当隙間面積に関連して前記単位時間当たりに前記室内に流入または流出する水分変動量にも基づいて前記到達時間を予測する請求項６記載の換気装置。
【請求項９】
前記給気風路を通過する空気と前記排気風路を通過する空気との間で熱交換する熱交換部を備えた請求項１から８のいずれかに記載の換気装置。
【請求項１０】
前記熱交換部は、
全熱交換方式による熱交換を行い、
前記加湿量制御部は、
前記熱交換部による水分の交換量を算出する交換水分量算出部を備え、
前記交換水分量算出部により算出された水分にも基づいて前記加湿部による加湿量を制御する請求項９記載の換気装置。
【請求項１１】
前記給気風路を通過する空気と前記排気風路を通過する空気との間で全熱交換方式による熱交換を行なう熱交換部を備え、
前記加湿量制御部は、
前記熱交換部による水分の交換量を算出する交換水分量算出部を備え、
前記湿度予測部は、
前記交換水分量算出部により算出された水分にも基づいて所定時間後の前記室内における湿度を予測する請求項５又は７に記載の換気装置。
【請求項１２】
前記給気風路を通過する空気と前記排気風路を通過する空気との間で全熱交換方式による熱交換を行なう熱交換部を備え、
前記加湿量制御部は、
前記熱交換部による水分の交換量を算出する交換水分量算出部を備え、
前記目標到達時間予測部は、
前記交換水分量算出部により算出された水分にも基づいて前記到達時間を予測する請求項６又は８に記載の換気装置。
【請求項１３】
前記加湿部は、
破砕した水を空気に散布する水破砕式加湿部である請求項１から１２のいずれかに記載の換気装置。
【請求項１４】
前記第１室内側温湿度センサにより検出された温湿度と前記室内の体積とに基づいて算出される前記室内の現在の水分量を現在算出水分量とし、
前記加湿量制御部は、
過去に前記湿度予測部に基づき算出された前記室内の過去予測水分量を記憶する第２記憶部と、過去に前記流入水分量算出部に基づき算出された過去流入水分量を記憶する第３記憶部と、を備え、
前記加湿量制御部は、
「前記現在算出水分量と前記過去予測水分量との差が所定値を超える」且つ「現在の前記流入水分量と前記過去流入水分量との差が所定値を超える」場合に、前記給気風量が減少するように前記給気部を制御する請求項５又は７記載の換気装置。
【請求項１５】
前記給気風路を通過する空気と前記排気風路を通過する空気との間で全熱交換方式による熱交換を行なう熱交換部と、
前記給気風路上または前記排気風路上に設けられた風路切替ダンパと、を備え、
前記熱交換部で熱交換を行うモードを熱交換モードとし、
前記給気風路または前記排気風路にバイパス風路を設けることにより前記熱交換部で熱交換を行わないモードをバイパスモードとし、
前記目標湿度に基づいて算出される前記室内の目標とする水分量を目標水分量とし、
前記室外側温湿度センサからの情報と前記給気部による給気風量とに基づいて算出される前記熱交換部に流入する単位時間当たりの水分量を外気水分量とし、
前記加湿量制御部は、
『「前記現在算出水分量＜前記目標水分量」且つ「現在の前記流入水分量＜前記外気水分量」』または『「前記現在算出水分量＞前記目標水分量」且つ「現在の前記流入水分量＞前記外気水分量」』を満たす場合に、前記バイパスモードの状態となるように前記風路切替ダンパを切り替える請求項１４記載の換気装置。
【請求項１６】
前記給気風路を通過する空気と前記排気風路を通過する空気との間で全熱交換方式による熱交換を行なう熱交換部と、
前記給気風路において前記加湿部の上流に設けられるヒータと、
前記給気風路において前記加湿部の下流に設けられる第２室内側温湿度センサとを備え、前記第２室内側温湿度センサにより検出される前記室内側吹出口から吹き出される空気の温度をＴＨ＿ｍｅａｓ（ＳＡ）とし、
前記室外側温湿度センサにより検出された前記室外側吸込口から吸い込まれる屋外空気の温度をＴＨ（ＯＡ）とし、
前記第１室内側温湿度センサにより検出された前記室内側吸込口から吸い込まれる室内空気の温度をＴＨ（ＲＡ）とし、
前記熱交換部の温度交換率をηＴとし、
ＴＨ（ＯＡ）、ＴＨ（ＲＡ）およびηＴから算出された推定温度をＴＨ（ＳＡ）とすると、
ＴＨ（ＳＡ）は、前記給気風路において、前記熱交換部の下流且つ前記加湿部の上流における推定温度であり、
前記加湿量制御部は、ＴＨ（ＳＡ）とＴＨ＿ｍｅａｓ（ＳＡ）とを比較し、ＴＨ＿ｍｅａｓ（ＳＡ）が低下していると判断した場合に、前記ヒータをＯＮにすることを特徴とする請求項１〜１５の何れか１項に記載の換気装置。
【請求項１７】
ＴＨ＿ｍｅａｓ（ＳＡ）から算出される飽和水蒸気量をａ（ＴＨ＿ｍｅａｓ（ＳＡ））とし、
前記第２室内側温湿度センサにより検出される温湿度から算出される単位体積当たりの水分量をＷ（ＴＨ＿ｍｅａｓ（ＳＡ））とすると、
前記加湿量制御部は、ａ（ＴＨ＿ｍｅａｓ（ＳＡ））とＷ（ＴＨ＿ｍｅａｓ（ＳＡ））とを比較し、Ｗ（ＴＨ＿ｍｅａｓ（ＳＡ））がａ（ＴＨ＿ｍｅａｓ（ＳＡ））に近い状態にあると判断した場合に、前記加湿部による加湿量を抑制することを特徴とする請求項１６に記載の換気装置。
【請求項１８】
前記給気部は給気モータを有し、
所定時間前における前記給気モータの電流値をＩ＿ＳＡ＿ＰＡＳＴとし、
現在の前記給気モータの電流値をＩ＿ＳＡ＿ＮＯＷとし、
前記第１室内側温湿度センサにより検出された温湿度と前記室内の体積とに基づいて算出される前記室内の現在の水分量をＷ＿ＮＯＷ（現在算出水分量）とし、
前記目標湿度に基づいて算出される前記室内の目標とする水分量をＷ＿ＴＡＲＧＥＴ（目標水分量）とすると、
前記加湿量制御部は、
「Ｉ＿ＳＡ＿ＮＯＷ＜Ｉ＿ＳＡ＿ＰＡＳＴ」の場合は、前記給気風量が増加するように前記給気モータを制御し、
「Ｉ＿ＳＡ＿ＮＯＷ≒Ｉ＿ＳＡ＿ＰＡＳＴ」の場合は、前記給気風量が維持されるように前記給気モータを制御し、
「Ｉ＿ＳＡ＿ＮＯＷ＞Ｉ＿ＳＡ＿ＰＡＳＴ」の場合は、Ｗ＿ＮＯＷとＷ＿ＴＡＲＧＥＴとの比較結果に基づいて、前記給気風量が変更または維持されるように前記給気モータを制御する請求項１〜１７の何れか１項に記載の換気装置。
【請求項１９】
前記給気部は給気モータを有し、
所定時間前における前記給気モータの回転数をｎ＿ＳＡ＿ＰＡＳＴとし、
現在の前記給気モータの回転数をｎ＿ＳＡ＿ＮＯＷとし、
前記第１室内側温湿度センサにより検出された温湿度と前記室内の体積とに基づいて算出される前記室内の現在の水分量をＷ＿ＮＯＷ（現在算出水分量）とし、
前記目標湿度に基づいて算出される前記室内の目標とする水分量をＷ＿ＴＡＲＧＥＴ（目標水分量）とすると、
前記加湿量制御部は、
「ｎ＿ＳＡ＿ＮＯＷ＜ｎ＿ＳＡ＿ＰＡＳＴ」の場合は、前記給気風量が増加するように前記給気モータを制御し、
「ｎ＿ＳＡ＿ＮＯＷ≒ｎ＿ＳＡ＿ＰＡＳＴ」の場合は、前記給気風量が維持されるように前記給気モータを制御し、
「ｎ＿ＳＡ＿ＮＯＷ＞ｎ＿ＳＡ＿ＰＡＳＴ」の場合は、Ｗ＿ＮＯＷとＷ＿ＴＡＲＧＥＴとの比較結果に基づいて、前記給気風量が変更または維持されるように前記給気モータを制御する請求項１〜１７の何れか１項に記載の換気装置。
【発明の詳細な説明】
【技術分野】
【０００１】
本発明は、室内空気を屋外へ排出し、屋外空気を室内へ供給して室内の換気を行う換気装置に関する。
【背景技術】
【０００２】
従来、この種の換気装置として、室外から取り込んだ屋外空気を加湿した上で室内へ供給し、室内空気の湿度を制御する加湿機能付きの換気装置が知られている。例えば、特許文献１に記載の換気装置は、温調コイルと加湿エレメントとを用いて湿度制御を行う。この換気装置は、検出した室内湿度と目標湿度とを比較し、室内湿度が目標湿度に足りない場合は、外気の温湿度と室内の温湿度とを元に、事前に取得された参照データ（マップ）に基づいて温調コイルの能力を設定して、室外から取り込んだ屋外空気を加湿する。一方、室内湿度が目標湿度を超えている場合は、加湿運転を停止する。
【先行技術文献】
【特許文献】
【０００３】
【特許文献１】国際公開第２０１６／００２０７２号
【発明の概要】
【発明が解決しようとする課題】
【０００４】
しかしながら、特許文献１の換気装置では、検出した室内湿度を元にフィードバック制御を行いながら加湿運転の有無や加湿量を決定していた。このため、目標湿度を上回る又は下回る状態を繰り返すこととなり、結果として室内湿度が一定となりにくいという問題点があった。
【０００５】
本発明は、上記課題を解決するためになされたものであり、室内空気の湿度制御を効率よく行い、室内湿度を短時間で一定とすることができる換気装置を提供することを目的とする。
【課題を解決するための手段】
【０００６】
この目的を達成するために、本発明の換気装置は、室外側吸込口と室内側吹出口と室内側吸込口と室外側吹出口とを有する筐体と、前記室外側吸込口と前記室内側吹出口とを連通する給気風路と、前記室内側吸込口と前記室外側吹出口とを連通する排気風路と、前記室内側吸込口から前記室外側吹出口へ空気を導く排気部と、前記室外側吸込口から前記室内側吹出口へ空気を導く給気部と、前記室外側吸込口から吸い込まれる空気の温度と湿度とを検出する室外側温湿度センサと、前記室内側吸込口から吸い込まれる空気の温度と湿度とを検出する第１室内側温湿度センサと、前記室外側吸込口から吸い込んだ空気を加湿する加湿部と、前記室内における目標とする湿度である目標湿度を記憶する第１記憶部と、前記室外側温湿度センサからの情報と前記給気部による給気風量とに基づいて前記室内に流入する流入水分量を算出する流入水分量算出部と、前記第１室内側温湿度センサからの情報と前記排気部による排気風量とに基づいて前記室内から流出する流出水分量を算出する流出水分量算出部と、前記流入水分量と前記流出水分量と前記目標湿度とに基づいて前記加湿部による加湿量を制御する加湿量制御部と、を備えたものである。
【発明の効果】
【０００７】
本発明の換気装置によれば、室外側温湿度センサからの情報と給気部による給気風量とに基づいて室内に流入する流入水分量が流入水分量算出部により算出される。また、第１室内側温湿度センサからの情報と排気部による排気風量とに基づいて室内から流出する流出水分量が流出水分量算出部により算出される。そして、算出された流入水分量と算出された流出水分量と目標湿度とに基づいて加湿部による加湿量が加湿量制御部により制御される。これにより、室内空気の湿度制御を効率よく、また精度よく室内湿度を一定に保つことができる。
【図面の簡単な説明】
【０００８】
【図１】本発明の第１実施形態に係る給排型換気装置を概略的に示す概略図である。
【図２】加湿量制御部にて実行される加湿制御処理を示すフローチャートである。
【図３】加湿量制御部が図２に示す加湿制御処理を実行した場合の、所定時間毎の室内空気の相対湿度及び屋外空気の水分量の変化と、加湿制御処理により所定時間毎に決定した加湿ユニットの加湿量と、各所定時間において決定した加湿ユニットの加湿量によって推定される室内空気の湿度の変化とを示した図である。
【図４】加湿制御処理の一処理である内乱・外乱判定処理を示すフローチャートである。
【図５】所定時間毎の室内空気の相対湿度及び屋外空気の水分量の変化と、加湿制御処理により所定時間毎に決定した加湿ユニットの加湿量とを示した図である。
【図６】本発明の第２実施形態に係る給排型換気装置の加湿量制御部にて実行される加湿制御処理を示すフローチャートである。
【図７】加湿量制御部が図６に示す加湿制御処理を実行した場合の、所定時間毎の室内空気の相対湿度及び屋外空気の水分量の変化と、加湿制御処理により決定した加湿ユニットの加湿量と、決定した加湿ユニットの加湿量によって推定される室内空気の湿度の変化とを示した図である。
【図８】本発明の第３実施形態に係る給排型換気装置を概略的に示す概略図である。
【図９】同給排型換気装置の他の例を概略的に示す概略図である。
【図１０】本発明の第３実施形態に係る給排型換気装置の加湿量制御部により実行される内乱・外乱判定処理を示すフローチャートである。
【図１１】本発明の第４実施形態に係る給排型換気装置を概略的に示す概略図である。
【図１２】本発明の第４実施形態に係る給排型換気装置の加湿量制御部により実行されるフローチャートである。
【図１３】本発明の第５実施形態に係る給排型換気装置の制御部により給気ファンおよび排気ファンのモータ電流値に基づいて実行される内乱・外乱判定処理を示すフローチャートである。
【図１４】本発明の第５実施形態の変形例に係る給排型換気装置の制御部により給気ファンおよび排気ファンの回転数に基づいて実行される内乱・外乱判定処理を示すフローチャートである。
【発明を実施するための形態】
【０００９】
以下、本発明を実施するための形態について添付図面を参照して説明する。
【００１０】
（第１実施形態）
まず、図１を参照して、本発明の第１実施形態に係る給排型換気装置１について説明する。図１は、給排型換気装置１を概略的に示す概略図である。給排型換気装置１は、箱形の筐体２（本体）の側面に室外側吹出口４及び室外側吸込口５を有し、また、この側面に対向した側面に室内側吸込口６及び室内側吹出口７を設けている。
【００１１】
また、給排型換気装置１は、室外側吸込口５と室内側吹出口７とを連通する給気風路８と、室内側吸込口６と室外側吹出口４とを連通する排気風路９とを備えている。室外側吸込口５から導入される新鮮な屋外空気（外気、給気空気）と、室内側吸込口６から導入される汚染された室内空気（排気空気）は、給気ファン１２と排気ファン１３との運転によりそれぞれ給気風路８と排気風路９とを流れる。
【００１２】
給気ファン１２は、本発明の給気部を構成し、室外側吸込口５から吸い込んだ給気空気を、給気風路８を通して室内側吹出口７へ導くものである。室内側吹出口７へ導かれた空気は室内へ供給される。一方、排気ファン１３は、本発明の排気部を構成し、室内側吸込口６から吸い込んだ排気空気を、排気風路９を通して室外側吹出口４へ導くものである。室外側吹出口４へ導かれた空気は、室外に排気される。
【００１３】
給気風路８と排気風路９とが交差する位置には、熱交換素子１４が配置される。熱交換素子１４は、本発明の熱交換部を構成するものであり、給気風路８を通過する給気空気と、排気風路９を通過する排気空気との間で全熱交換方式による熱交換を行う。熱交換素子１４により、排気される空気の全熱（温度及び湿度）が給気される空気に供給される、または、給気される空気の全熱が排気される空気に供給される。
【００１４】
給気風路８において熱交換素子１４よりも室外側吸込口５側に室外側温湿度センサ１７が配設され、排気風路９において熱交換素子１４よりも室内側吸込口６側に第１室内側温湿度センサ１６が配設されている。室外側温湿度センサ１７は、室外側吸込口５から吸い込まれる給気空気（屋外空気）の温度と湿度とを検出する。第１室内側温湿度センサ１６は、室内側吸込口６から吸い込まれる排気空気（室内空気）の温度と湿度とを検出する。
【００１５】
また、給気風路８において熱交換素子１４よりも室内側吹出口７側に加湿ユニット１５が配設される。加湿ユニット１５は、本発明の加湿部を構成するものであり、室外側吸込口５から吸い込んだ給気空気を加湿する。即ち、室内側吹出口７からはこの加湿ユニット１５により加湿された給気空気が室内へ供給される。給排型換気装置１は、加湿ユニット１５における加湿量を制御することにより、室内湿度が室内における目標とする湿度である目標湿度となるように制御する。
【００１６】
ここで、本実施形態における加湿ユニット１５は、例えば遠心破砕方式によって破砕した水を空気に散布する水破砕式加湿ユニットである。水破砕式加湿ユニットは、破砕する水の量を調整することで、加湿量の調整を容易に行うことができる。
【００１７】
給排型換気装置１の内部または外部には、給排型換気装置１の動作を制御する制御部２０が設けられている。制御部２０は、例えば、給気ファン１２の給気モータや排気ファン１３の排気モータの電流及び／又は回転数を制御する。すなわち、給気モータ及び排気モータには例えばＤＣモータが利用可能である。また、制御部２０は、加湿量制御部２１と目標温湿度記憶部２２（第１記憶部に該当）を備えている。目標温湿度記憶部２２は、室内における目標湿度及び目標温度を記憶する。加湿量制御部２１は、図２を参照して後述する加湿制御処理を実行することにより、室内湿度が目標温湿度記憶部２２に記憶された目標湿度となるように、加湿ユニット１５による加湿量を制御する。
【００１８】
次いで、図２を参照して加湿量制御部２１にて実行される加湿制御処理について説明する。図２は、その加湿制御処理を示すフローチャートである。この加湿制御処理では、所定時間Ｔ後の室内における湿度を予測し、その予測結果と目標湿度との比較結果に基づいて加湿ユニット１５による加湿量を制御する処理を、前記所定時間Ｔが経過する毎に実行する。
【００１９】
具体的には、加湿制御処理の実行が開始されると、まず、現在の風量・温湿度のおける家全体の気体中の水分量Ｗ＿ＮＯＷ（単位：ｇ）と、目標とする温湿度における家全体の気体中の水分量Ｗ＿ＴＡＲＧＥＴ（単位：ｇ）とを次の式（１）及び式（２）により算出する（Ｓ１）。
【００２０】
Ｗ＿ＮＯＷ＝Ｑ×２×ａ（ＴＨ（ＲＡ））×ＲＨ（ＲＡ）／１００・・・（１）
Ｗ＿ＴＡＲＧＥＴ＝Ｑ×２×ａ（ＴＨ（ＲＡ＿ＴＡＲＧＥＴ））×ＲＨ（ＲＡ＿ＴＡＲＧＥＴ）／１００・・・（２）
ここで、Ｑ（単位：ｍ３／ｈ）は、給排型換気装置１が家全体を０．５回換気するために予め設定された設定換気風量である。即ち、設定換気風量Ｑで給排型換気装置１を２時間運転すると、家全体の換気が完了する。よって、設定換気風量Ｑに２（時間）を乗ずることで、家全体の体積を算出できる。なお、家全体の体積はあらかじめ制御部２０に記憶されていてもよいし、例えば入力手段を介して使用者が設定できるようにしてもよい。
【００２１】
また、ＴＨ（ＲＡ）は、第１室内側温湿度センサ１６により検出された室内側吸込口６から吸い込まれる室内空気（ＲＡ）の現在の温度（単位：℃）であり、ａ（ＴＨ（ＲＡ））は、その室内空気（ＲＡ）の現在の温度における飽和水蒸気量（単位：ｇ／ｍ３）である。ＲＨ（ＲＡ）は、第１室内側温湿度センサ１６により検出された室内側吸込口６から吸い込まれる室内空気（ＲＡ）の現在の相対湿度（単位：％）である。また、ＴＨ（ＲＡ＿ＴＡＲＧＥＴ）は、室内空気（ＲＡ）における目標とする温度（目標温度、単位：℃）であり、ａ（ＴＨ（ＲＡ＿ＴＡＲＧＥＴ））は、目標温度における飽和水蒸気量（単位：ｇ／ｍ３）である。ＲＨ（ＲＡ＿ＴＡＲＧＥＴ）は、目標温湿度記憶部２２に記憶された室内空気（ＲＡ）における目標湿度（単位：％）である。
【００２２】
次いで、加湿制御処理では、家全体の流入・流出水分量を計算して、所定時間Ｔ後の家全体の水分量Ｗ＿ＮＥＸＴ（推定値）を計算する（Ｓ２）。家全体の流入・流出水分量の計算では、まず、単位時間（ここでは、１時間）当たりに室内側吸込口６から吸い込まれる室内空気（ＲＡ）より流出する水分量ＯＵＴ＿ＲＡ（単位：ｇ／ｈ）を次の（３）式により計算する。また、家全体の流入・流出水分量の計算では、単位時間当たりに室内側吹出口７から吹出される給気空気（ＳＡ）により流入する水分量ＩＮ＿ＳＡ（単位：ｇ／ｈ）を次の（４）式により計算する。
【００２３】
さらに、家全体の流入・流出水分量の計算では、単位時間当たりに相当隙間面積（Ｃ値）による流出入水分量ＩＮＯＵＴ＿Ｃ（単位：ｇ／ｈ）を次の（５）式又は（６）式により計算する。具体的には、室内空気（ＲＡ）の温度ＴＨ（ＲＡ）が屋外空気（ＯＡ）の温度ＴＨ（ＯＡ）よりも高い場合、即ち、空気が室外へ流出する場合は、ＩＮＯＵＴ＿Ｃを（５）式により計算する。一方、室内空気（ＲＡ）の温度ＴＨ（ＲＡ）が屋外空気（ＯＡ）の温度ＴＨ（ＯＡ）よりも低い場合、即ち、空気が室内へ流入する場合は、ＩＮＯＵＴ＿Ｃを（６）式により計算する。
【００２４】
ＯＵＴ＿ＲＡ＝Ｑ＿ＯＵＴ×ａ（ＴＨ（ＲＡ））×ＲＨ（ＲＡ）／１００・・・（３）
ＩＮ＿ＳＡ＝Ｑ＿ＩＮ×ａ（ＴＨ（ＳＡ））×ＲＨ（ＳＡ）／１００・・・（４）
ＩＮＯＵＴ＿Ｃ＝Ｃ（ＴＨ（ＲＡ））×ａ（ＴＨ（ＲＡ））×ＲＨ（ＲＡ）／１００・・・（５）
ＩＮＯＵＴ＿Ｃ＝Ｃ（ＴＨ（ＯＡ））×ａ（ＴＨ（ＯＡ））×ＲＨ（ＯＡ）／１００・・・（６）
ここで、Ｑ＿ＯＵＴは、排気風路９により排気される風量である排気風量（単位：ｍ３／ｈ）であり、Ｑ＿ＩＮは、給気風路８により給気される風量である給気風量（単位：ｍ３／ｈ）である。また、ＴＨ（ＳＡ）は、室内側吹出口７から吹出される給気空気（ＳＡ）の現在の温度（単位：℃）であり、ａ（ＴＨ（ＳＡ））は、その給気空気（ＳＡ）の現在の温度における飽和水蒸気量（単位：ｇ／ｍ３）である。ＲＨ（ＳＡ）は、室内側吹出口７から吹出される給気空気（ＳＡ）の現在の湿度（単位：％）である。
【００２５】
また、Ｃ（ＴＨ（ＲＡ））は、その絶対値が、第１室内側温湿度センサ１６により検出された室内空気（ＲＡ）の現在の温度において相当隙間面積（Ｃ値）により室外へ流出する風量（単位：ｍ３／ｈ）であり、負の値とされる。また、ＴＨ（ＯＡ）は、室外側温湿度センサ１７により検出された室外側吸込口５から吸い込まれる屋外空気（ＯＡ）の現在の温度（単位：℃）である。Ｃ（ＴＨ（ＲＡ））は、その絶対値が、屋外空気（ＯＡ）の現在の温度において相当隙間面積（Ｃ値）により室内へ流入する風量（単位：ｍ３／ｈ）であり、正の値とされる。ａ（ＴＨ（ＲＡ））は、屋外空気（ＯＡ）の現在の温度における飽和水蒸気量（単位：ｇ／ｍ３）である。ＲＨ（ＯＡ）は、室外側温湿度センサ１７により検出された室外側吸込口５から吸い込まれる屋外空気（ＯＡ）の現在の相対湿度（単位：％）である。
【００２６】
なお、Ｓ２の処理では、単位時間当たりに流入する水分量の計算において、室外側温湿度センサ１７により検出された室外側吸込口５から吸い込まれる屋外空気（ＯＡ）の現在の温湿度を用いるのではなく、室内側吹出口７から吹出される給気空気（ＳＡ）の現在の温湿度を用いている。これは、熱交換素子１４において、給気空気と排気空気との間で温度及び湿度の交換が行われるため、実際に室内に給気される空気の温湿度とは、室内側吹出口７から吹出される給気空気（ＳＡ）の現在の温湿度となるからである。
【００２７】
一方で、給排型換気装置１は、給気風路８において熱交換素子１４よりも室内側吹出口７側に温湿度を検出するためのセンサを設けていない。Ｓ２の処理では、熱交換素子１４の温度交換率ηＴと湿度交換率ηＨとを用いて、室内側吹出口７から吹出される給気空気（ＳＡ）の現在の温度ＴＨ（ＳＡ）と湿度ＲＨ（ＳＡ）とを、次の式（７）及び式（８）から計算する。
【００２８】
ＴＨ（ＳＡ）＝（１−ηＴ）ＴＨ（ＯＡ）＋ηＴ×ＴＨ（ＲＡ）・・・（７）
ＲＨ（ＳＡ）＝（１−ηＨ）ＲＨ（ＯＡ）＋ηＨ×ＲＨ（ＲＡ）・・・（８）
これにより、給気風路８において熱交換素子１４よりも室内側吹出口７側に温湿度を検出するためのセンサを設けなくても、第１室内側温湿度センサ１６と室外側温湿度センサ１７とを設けるだけで、室内側吹出口７から吹出される給気空気（ＳＡ）の現在の温湿度を得ることができるので、給排型換気装置１のコストの増加を抑えることができる。
【００２９】
なお、給排型換気装置１において、熱交換素子１４は必ずしも設けられていなくてもよく、この場合、単位時間当たりに流入する水分量の計算は、室外側温湿度センサ１７により検出された室外側吸込口５から吸い込まれる屋外空気（ＯＡ）の現在の温湿度を用いて行ってもよい。
【００３０】
所定時間Ｔ後の家全体の水分量Ｗ＿ＮＥＸＴは、Ｓ１の処理により算出した現在の家全体の水分量Ｗ＿ＮＯＷと、Ｓ２の処理にて算出した単位時間当たりの家全体の流入・流出水分量ＯＵＴ＿ＲＡ，ＩＮ＿ＳＡ，ＩＮＯＵＴ＿Ｃとに基づいて、次の（９）式により計算する。
【００３１】
Ｗ＿ＮＥＸＴ＝Ｗ＿ＮＯＷ＋（ＩＮ＿ＳＡ−ＯＵＴ＿ＲＡ＋ＩＮＯＵＴ＿Ｃ）×Ｔ・・・（９）
次いで、加湿制御処理では、内乱・外乱判定処理を実行する（Ｓ１０１）。この内乱・外乱判定処理の詳細については図４を参照して後述する。
【００３２】
次いで、加湿制御処理では、Ｓ１の処理により算出した現在の家全体の水分量Ｗ＿ＮＯＷと、目標とする温湿度における家全体の水分量Ｗ＿ＴＡＲＧＥＴとを比較する（Ｓ３）。その結果、現在の家の水分量Ｗ＿ＮＯＷが目標の家全体の水分量Ｗ＿ＴＡＲＧＥＴ以上の場合は（Ｓ３：Ｎｏ）、加湿ユニット１５の加湿をオフするか、又は、加湿量を低減する（Ｓ６）。そして、所定時間Ｔ経過後に、Ｓ１の処理に戻り、再びＳ１からの処理を実行する。
【００３３】
一方、Ｓ３の処理の結果、現在の家の水分量Ｗ＿ＮＯＷが目標の家全体の水分量Ｗ＿ＴＡＲＧＥＴ未満の場合は（Ｓ３：Ｙｅｓ）、次いで、Ｓ２の処理により算出された所定時間Ｔ後の家全体の水分量Ｗ＿ＮＥＸＴと、Ｓ１の処理により算出された目標とする温湿度における家全体の水分量Ｗ＿ＴＡＲＧＥＴとを比較する（Ｓ４）。その結果、所定時間Ｔ後の家の水分量Ｗ＿ＮＥＸＴが目標の家全体の水分量Ｗ＿ＴＡＲＧＥＴ以上の場合は（Ｓ４：Ｎｏ）、加湿ユニット１５の加湿をオフするか、又は、加湿量を低減する（Ｓ７）。そして、所定時間Ｔ経過後に、Ｓ１の処理に戻り、再びＳ１からの処理を実行する。
【００３４】
一方、Ｓ４の処理の結果、所定時間Ｔ後の家の水分量Ｗ＿ＮＥＸＴが目標の家全体の水分量Ｗ＿ＴＡＲＧＥＴ未満の場合は（Ｓ３：Ｎｏ）、加湿ユニット１５の加湿をオンするか、又は、加湿量を増加する（Ｓ５）。そして、所定時間Ｔ経過後に、Ｓ１の処理に戻り、再びＳ１からの処理を実行する。
【００３５】
なお、Ｓ５、Ｓ６及びＳ７の処理において増減させる加湿ユニット１５の加湿量Ｈ（単位：ｇ／ｈ）は、次の（９）式により算出する。
【００３６】
Ｈ＝（（Ｗ＿ＴＡＲＧＥＴ−Ｗ＿ＮＯＷ）−（ＩＮ＿ＳＡ−ＯＵＴ＿ＲＡ＋ＩＮＯＵＴ＿Ｃ）×Ｔ）／Ｔ・・・（１０）
ここで、（１０）式にて算出した加湿量Ｈがゼロ以下となる場合は、これ以上加湿すると目標湿度を超える可能性があることを意味するので、加湿ユニット１５の加湿をオフする。また、（１０）式にて算出した加湿量Ｈが、加湿ユニット１５をフル運転させた場合の最大加湿量を超えた場合は、加湿ユニット１５を最大加湿量でフル運転させる。
【００３７】
次に、図３を参照して、加湿量制御部２１が図２に示す加湿制御処理を実行した場合の作用について説明する。図３は、所定時間Ｔ毎の室内空気（ＲＡ）の相対湿度及び屋外空気（ＯＡ）の水分量の変化と、加湿制御処理により所定時間Ｔ毎に決定した加湿ユニット１５の加湿量と、各所定時間Ｔにおいて決定した加湿ユニット１５の加湿量によって推定される室内空気（ＲＡ）の湿度（推定湿度）の変化とを示した図である。
【００３８】
まず、図３（ａ）を参照して、時刻（ｉ）における加湿制御処理の作用を説明する。時刻（ｉ）では、現状の加湿量で加湿ユニット１５を運転し続けると、室内空気（ＲＡ）の相対湿度が目標湿度を超えるため、加湿量Ｈを低減させる。このとき、加湿量Ｈは、上記した（１０）式により算出する。即ち、加湿量Ｈは、現時点での流入水分量及び流出水分量と目標湿度とに基づいて算出されるので、流入水分量及び流出水分量に大きな変化がない限り、所定時間Ｔ後には室内空気（ＲＡ）の湿度を目標湿度へ近づけることができる。
【００３９】
次いで、図３（ｂ）を参照して、時刻（ｉ）から所定時間Ｔ経過後の時刻（ｉｉ）における加湿制御処理の作用を説明する。図３（ｂ）に示す例では、時刻（ｉｉ）において、屋外空気（ＯＡ）の水分量が時刻（ｉ）よりも下がったため、結果として室内空気（ＲＡ）の相対湿度が目標湿度に到達していない。一方、時刻（ｉ）で設定した加湿量Ｈで加湿ユニット１５を運転し続けると、室内空気（ＲＡ）の相対湿度が目標湿度を超えるため、加湿量Ｈを更に低減させる。この場合も加湿量Ｈは上記した（１０）式により算出する。
【００４０】
次いで、図３（ｃ）を参照して、時刻（ｉｉ）から所定時間Ｔ経過後の時刻（ｉｉｉ）における加湿制御処理の作用を説明する。図３（ｃ）に示す例では、時刻（ｉｉｉ）において、屋外空気（ＯＡ）の水分量が時刻（ｉｉ）よりも更に下がったため、結果として室内空気（ＲＡ）の相対湿度が目標湿度に到達していない。一方、時刻（ｉｉ）で設定した加湿量Ｈで加湿ユニット１５を運転し続けると、室内空気（ＲＡ）の相対湿度が目標湿度に到達しないため、加湿量Ｈを増加させる。この場合も、加湿量Ｈは上記した（１０）式により算出する。
【００４１】
次いで、図３（ｄ）を参照して、時刻（ｉｉｉ）から所定時間Ｔ経過後の時刻（ｉｖ）における加湿制御処理の作用を説明する。図３（ｄ）に示す例では、時刻（ｉｖ）において、屋外空気（ＯＡ）の水分量が時刻（ｉｉ）より上がったため、結果として室内空気（ＲＡ）の相対湿度が目標湿度を超えているので、加湿量Ｈを低減させる。この場合も、加湿量Ｈは上記した（１０）式により算出する。
【００４２】
次いで、図３（ｅ）を参照して、時刻（ｉｖ）から所定時間Ｔ経過後の時刻（ｖ）における加湿制御処理の作用を説明する。図３（ｅ）に示す例では、時刻（ｖ）において、屋外空気（ＯＡ）の水分量が時刻（ｉｖ）よりも下がったため、結果として室内空気（ＲＡ）の相対湿度が目標湿度を下回っているので、加湿量Ｈを増加させる。この場合も、加湿量Ｈは上記した（１０）式により算出する。
【００４３】
次いで、図３（ｆ）を参照して、時刻（ｖ）から所定時間Ｔ経過後の時刻（ｖｉ）における加湿制御処理の作用を説明する。図３（ｅ）に示す例では、時刻（ｖ）において、屋外空気（ＯＡ）の水分量が時刻（ｉｖ）よりも上がったため、結果として室内空気（ＲＡ）の相対湿度が目標湿度を超えているので、加湿量Ｈを増加させる。この場合も、加湿量Ｈは上記した（１０）式により算出する。以後、所定時間Ｔが経過する毎に、加湿制御処理は、以上のような処理を繰り返す。
【００４４】
このように、第１実施形態に係る給排型換気装置１は、加湿量制御部２１が加湿制御処理を実行することにより、室内空気（ＲＡ）への流入水分量及び流出水分量と、目標湿度とに基づいて、加湿ユニット１５による加湿量Ｈを制御するので、室内空気の湿度制御を効率よく行い、室内空気の湿度を一定とすることができる。
【００４５】
また、家全体の湿度制御を行おうとした場合、家全体の体積が大きいため、加湿による湿度変動には多くの時間がかかる。よって、単に現時点の湿度に基づいて加湿量を変更すると、室内空気（ＲＡ）の相対湿度が目標湿度を上回ってしまうおそれがある。これに対し、図２に示す加湿制御処理では、単位時間当たりの流入水分量と、単位時間当たりの流出水分量と、室内の体積とに基づいて、所定時間Ｔ後の家全体の水分量（室内空気の湿度）を予測する。そして、その予測結果と目標とする家全体の水分量（目標湿度）とを比較して、その比較結果に基づいて加湿量を変更することによって、室内空気（ＲＡ）の相対湿度を目標湿度に効率よく近づけることができる。特に、家全体の体積に基づいて加湿量が制御されるので、室内空気（ＲＡ）の相対湿度を目標湿度により確実に近づけることができる。
【００４６】
また、所定時間Ｔ毎に、単位時間当たりの流入水分量と、単位時間当たりの流出水分量と、室内の体積とに基づいて、所定時間Ｔ後の家全体の水分量（室内空気の湿度）を予測するので、屋外空気（ＯＡ）に含まれる水分量が変化しても、その変化を所定時間Ｔ後の家全体の水分量（室内空気の湿度）の予測に反映させることができる。よって、屋外空気（ＯＡ）に含まれる水分量が変化しても、内空気（ＲＡ）の相対湿度が目標湿度から離れてしまうことを抑制できる。なお、所定時間Ｔは長すぎると、室内空気（ＲＡ）の相対湿度の応答性が悪くなる。よって、所定時間Ｔは１０分〜１時間が好ましい。
【００４７】
また、加湿量の制御において、室内の相当隙間面積（Ｃ値）も考慮されるので、室内空気の相対湿度を精度よく目標湿度に近づけることができる。特に、相当隙間面積に関連して短時間当たりに室内に流入又は流出する水分変動量にも基づいて、所定時間Ｔ後の家全体の水分量（室内空気の湿度）を予測するので、その水分量の予測を精度よく行うことができ、室内空気（ＲＡ）の相対湿度を目標湿度により効率よく近づけることができる。
【００４８】
更に、加湿量の制御において、熱交換素子１４により交換された水分量をも考慮されるので、室内空気の相対湿度を精度よく目標湿度に近づけることができる。特に、熱交換素子１４により交換された水分量にも基づいて、所定時間Ｔ後の家全体の水分量（室内空気の湿度）を予測するので、その水分量の予測を精度よく行うことができ、室内空気（ＲＡ）の相対湿度を目標湿度により効率よく近づけることができる。
【００４９】
次に、図４及び図５を参照して、加湿量制御部２１により実行される加湿制御処理の一処理である内乱・外乱判定処理（Ｓ１０１）の詳細について説明する。図４は、その内乱・外乱判定処理（Ｓ１０１）を示すフローチャートである。また、図５は、所定時間Ｔ毎の室内空気（ＲＡ）の相対湿度及び屋外空気（ＯＡ）の水分量の変化と、加湿制御処理により所定時間Ｔ毎に決定した加湿ユニット１５の加湿量とを示した図である。
【００５０】
内乱・外乱判定処理（Ｓ１０１）では、室内空気（ＲＡ）の温湿度に対する内乱又は外乱の発生を判定し、内乱又は外乱が発生していると判定される場合は、対応する制御を実行する。ここで、内乱とは、屋内の特定室内における急な温湿度の変化を指し、床暖房のオン／オフ、扉や窓の開閉、洗濯物の部屋干し等の要因によって生ずるものである。また、外乱とは、屋外における急な温湿度の変化を指し、例えばゲリラ豪雨等の要因によって生ずるものである。
【００５１】
内乱・外乱判定処理（Ｓ１０１）では、まず、Ｗ＿ＮＥＸＴ＿ＰＡＳＴが、Ｗ＿ＮＯＷとほぼ等しいか否かを判断する（Ｓ１０２）。ここで、Ｗ＿ＮＥＸＴ＿ＰＡＳＴは、所定時間Ｔ前に実行されたＳ２（図２）の処理で算出された、Ｗ＿ＮＥＸＴの値である。Ｗ＿ＮＥＸＴは、その算出が行われる時点から所定時間Ｔ後の家全体の水分量の推定値である。つまり、Ｗ＿ＮＥＸＴ＿ＰＡＳＴは、所定時間Ｔ前の時点で推定された現在の家全体の水分量の推定値である。一方、Ｗ＿ＮＯＷは、Ｓ１０１の処理の直前に実行されたＳ１（図２）の処理にて算出された、現在の家全体の水分量である。Ｓ１０２では、Ｗ＿ＮＥＸＴ＿ＰＡＳＴが、Ｗ＿ＮＯＷを中心として所定範囲に含まれる場合に、それらがほぼ等しいと判断する。
【００５２】
Ｗ＿ＮＥＸＴ＿ＰＡＳＴがＷ＿ＮＯＷとほぼ等しいと判断される場合は（Ｓ１０２：Ｙｅｓ）、現在の家全体の水分量が、所定時間Ｔ前に推定された家全体の水分量となっているので、内乱や外乱はなかったと判定し、そのまま内乱・外乱判定処理（Ｓ１０１）を終了して、加湿制御処理のＳ３（図２）の処理へ移行する。
【００５３】
一方、Ｗ＿ＮＥＸＴ＿ＰＡＳＴがＷ＿ＮＯＷと等しくないと判断される場合は（Ｓ１０２：Ｎｏ）、次いで、ＩＮ＿ＳＡ＿ＮＯＷが、ＩＮ＿ＳＡ＿ＰＡＳＴとほぼ等しいか否かを判断する（Ｓ１０３）。ここでＩＮ＿ＳＡ＿ＮＯＷは、Ｓ１０１の処理の直前に実行されたＳ２（図２）の処理にて算出された、単位時間当たりに室内側吹出口７から吹出される給気空気（ＳＡ）により流入する水分量ＩＮ＿ＳＡの値（現在値）である。一方、ＩＮ＿ＳＡ＿ＰＡＳＴは、所定時間Ｔ前に実行されたＳ２（図２）の処理で算出された、単位時間当たりに室内側吹出口７から吹出される給気空気（ＳＡ）により流入する水分量ＩＮ＿ＳＡの値（過去値）である。Ｓ１０３では、ＩＮ＿ＳＡ＿ＮＯＷがＩＮ＿ＳＡ＿ＰＡＳＴを中心として所定範囲に含まれる場合に、それらがほぼ等しいと判断する。
【００５４】
ＩＮ＿ＳＡ＿ＮＯＷがＩＮ＿ＳＡ＿ＰＡＳＴとほぼ等しいと判断される場合は（Ｓ１０３：Ｙｅｓ）、図５（ａ）に示すように、屋外から給気される給気空気に含まれる水分量に大きな変化がない場合と判断できる。よってこの場合、Ｗ＿ＮＥＸＴ＿ＰＡＳＴとＷ＿ＮＯＷとの相違は、屋内の特定室内における急な温湿度の変化に伴う内乱によるものであると判定し、その内乱に対する特定の制御を行う（Ｓ１０４）。そして、Ｓ１０４の処理後、内乱・外乱判定処理（Ｓ１０１）を終了し、加湿制御処理のＳ３の処理へ移行する。Ｓ１０５の内乱に対する特定の制御としては、一時的に換気風量の増加を行うことで、家全体の使途度をより早く一定にする制御が例示される。この風量変更を実施後は、０．５回換気となるように風量を調整する構成としてもよい。
【００５５】
一方、Ｓ１０３の処理の結果、ＩＮ＿ＳＡ＿ＮＯＷがＩＮ＿ＳＡ＿ＰＡＳＴと等しくないと判断される場合は（Ｓ１０３：Ｎｏ）、図５（ｂ）に示すように、屋外から給気される給気空気に含まれる水分量に大きな変化があった場合と判断できる。よってこの場合、Ｗ＿ＮＥＸＴ＿ＰＡＳＴとＷ＿ＮＯＷとの相違は、屋外における急な温湿度の変化に伴う外乱によるものであると判定し、その外乱に対する特定の制御を行う（Ｓ１０５）。そして、Ｓ１０５の処理後、内乱・外乱判定処理（Ｓ１０１）を終了し、加湿制御処理のＳ３の処理へ移行する。Ｓ１０５の外乱に対する特定の制御としては、一時的に換気風量を低減することで室外からの温湿度の影響を緩和する制御が例示される。この風量変更を実施後は、０．５回換気となるように風量を調整する構成としてもよい。
【００５６】
なお、本実施形態の給排型換気装置１は熱交換素子１４を設けており、熱交換素子１４にて水分も交換される。そのため、Ｓ１０３の処理では、室内空気に流入する単位時間当たりの水分量（ＩＮ＿ＳＡ）として、熱交換素子１４を通過した後の室内側吹出口７から吹出される給気空気（ＳＡ）の温湿度に基づいて算出したものを用いている。ただし、上述した通り、給排型換気装置１において熱交換素子１４は必ずしも設けられていなくてもよく、この場合、Ｓ１０３の処理は、室内空気に流入する単位時間当たりの水分量として、室外側温湿度センサ１７により検出された室外側吸込口５から吸い込まれる屋外空気（ＯＡ）の現在の温湿度に基づいて算出したもの用いてもよい。
【００５７】
なお、内乱の判定は、Ｓ１０３の処理に代えて、特定室内における急激な乾燥や湿りを検知することで判断してもよい。また、外乱の判定は、Ｓ１０３の処理に代えて、外気の急激な乾燥・湿りを検知してもよい。
【００５８】
（第２実施形態）
次いで、図６及び図７を参照して第２実施形態に係る給排型換気装置１について説明する。第１実施形態に係る給排型換気装置１は、単位時間当たりの流入水分量と、単位時間当たりの流出水分量と、室内の体積とに基づいて、所定時間Ｔ後の家全体の水分量（室内空気の湿度）を予測し、その予測結果と目標とする家全体の水分量（目標湿度）とを比較して、その比較結果に基づいて加湿量を変更した。これに対し、第２実施形態に係る給排型換気装置１は、単位時間当たりの流入水分量と、単位時間当たりの流出水分量と、室内の体積と、目標湿度に基づいて、室内空気（ＲＡ）の湿度が目標湿度に到達する到達時間を予測し、その予測した到達時間に基づいて加湿部を制御する。
【００５９】
以下、第２実施形態に係る給排型換気装置１について、第１実施形態に係る給排型換気装置１と相違する点を中心に説明する。第１実施形態に係る給排型換気装置１と同一の構成については、同一の符号を付し説明を省略する。
【００６０】
図６は、第２実施形態に係る給排型換気装置１の加湿量制御部２１により実行される加湿制御処理を示すフローチャートである。
【００６１】
この加湿制御処理では、まず、現在の風量・温湿度のおける家全体の水分量Ｗ＿ＮＯＷ（単位：ｇ）と、目標とする温湿度における家全体の水分量Ｗ＿ＴＡＲＧＥＴ（単位：ｇ）とを第１実施形態と同様に上記の式（１）及び式（２）により算出する（Ｓ１１）。
【００６２】
次いで、加湿制御処理では、家全体の流入・流出水分量を計算する（Ｓ２）。具体的には、Ｓ２の処理では、単位時間（ここでは、１時間）当たりに室内側吸込口６から吸い込まれる室内空気（ＲＡ）より流出する水分量ＯＵＴ＿ＲＡ（単位：ｇ／ｈ）を第１実施形態と同様に上記の（３）式により計算する。また、Ｓ２の処理では、単位時間当たりに室内側吹出口７から吹出される給気空気（ＳＡ）により流入する水分量ＩＮ＿ＳＡ（単位：ｇ／ｈ）を第１実施形態と同様に上記の（４）式により計算する。さらに、Ｓ２の処理では、単位時間当たりに相当隙間面積（Ｃ値）による流出入水分量ＩＮＯＵＴ＿Ｃ（単位：ｇ／ｈ）を第１実施形態と同様に上記の（５）式又は（６）式により計算する。
【００６３】
なお、給排型換気装置１において、熱交換素子１４は必ずしも設けられていなくてもよく、この場合、単位時間当たりに流入する水分量の計算は、室外側温湿度センサ１７により検出された室外側吸込口５から吸い込まれる屋外空気（ＯＡ）の現在の温湿度を用いて行ってもよい。
【００６４】
次いで、加湿制御処理では、Ｓ１１の処理により算出した現在の家全体の水分量Ｗ＿ＮＯＷと、目標とする温湿度における家全体の水分量Ｗ＿ＴＡＲＧＥＴとを比較する（Ｓ１３）。その結果、現在の家の水分量Ｗ＿ＮＯＷが目標の家全体の水分量Ｗ＿ＴＡＲＧＥＴ未満の場合は（Ｓ１３：Ｙｅｓ）、加湿ユニット１５が最大加湿量でフル運転となるように制御する（Ｓ１４）。
【００６５】
そして、目標とする温湿度における家全体の水分量Ｗ＿ＴＡＲＧＥＴに到達するまでの到達時間Ｔ＿ＴＡＲＧＥＴを次の（１１）式により算出（予測）し、その算出したＴ＿ＴＡＲＧＥＴ時間、加湿ユニット１５を最大加湿量でフル運転させる（Ｓ１５）。
【００６６】
Ｔ＿ＴＡＲＧＥＴ＝（Ｗ＿ＴＡＲＧＥＴ−Ｗ＿ＮＯＷ）／（ＩＮ＿ＳＡ−ＯＵＴ＿ＲＡ＋ＩＮＯＵＴ＿Ｃ＋Ｈ）・・・（１１）
ここで、Ｈは、Ｓ１４の処理又は後述のＳ１６の処理により制御された加湿ユニット１５における加湿量である。
【００６７】
Ｔ＿ＴＡＲＧＥＴ時間が経過するとＳ１１の処理に戻る。
【００６８】
一方、Ｓ１３の処理の結果、現在の家の水分量Ｗ＿ＮＯＷが目標の家全体の水分量Ｗ＿ＴＡＲＧＥＴ以上の場合は（Ｓ１３：Ｎｏ）、加湿ユニット１５における加湿量をゼロにするか、または、加湿運転そのものを停止させる制御を行う（Ｓ１６）。
【００６９】
そして、目標とする温湿度における家全体の水分量Ｗ＿ＴＡＲＧＥＴに到達するまでの到達時間Ｔ＿ＴＡＲＧＥＴを上記の（１１）式により算出（予測）し、その算出したＴ＿ＴＡＲＧＥＴ時間、加湿ユニット１５を加湿量ゼロで運転させるか停止させたままとする（Ｓ１７）。そして、Ｔ＿ＴＡＲＧＥＴ時間が経過するとＳ１１の処理に戻る。
【００７０】
なお、Ｓ１７の処理により算出した時間Ｔ＿ＴＡＲＧＥＴが負の値となることがある。これは、給気空気（ＳＡ）からの流入水分量ＩＮ＿ＳＡが多いためであり、この場合は加湿ユニット１５における加湿量をゼロにしても、現在の家の水分量を目標の水分量に落とすことは制御的に困難である。よって、この場合は、予め定められた所定時間経過した後に、Ｓ１１の処理へ戻る。
【００７１】
次に、図７を参照して、加湿量制御部２１が図６に示す加湿制御処理を実行した場合の作用について説明する。図７は、この場合の室内空気（ＲＡ）の相対湿度及び屋外空気（ＯＡ）の水分量の変化と、加湿制御処理により決定した加湿ユニット１５の加湿量と、決定した加湿ユニット１５の加湿量によって推定される室内空気（ＲＡ）の湿度（推定湿度）の変化とを示した図である。
【００７２】
まず、図７（ａ）を参照して、時刻（ｉ）における加湿制御処理の作用を説明する。時刻（ｉ）では、現在の室内の相対湿度に相当する家の水分量Ｗ＿ＮＯＷが目標湿度に相当する目標の家全体の水分量Ｗ＿ＴＡＲＧＥＴ未満となっている。この場合、加湿ユニット１５が最大加湿量でフル運転されるように制御される。そして、最大加湿量で加湿された場合に目標とする温湿度における家全体の水分量Ｗ＿ＴＡＲＧＥＴに到達するまでの時間Ｔ＿ＴＡＲＧＥＴ（ｉ）が算出され、そのＴ＿ＴＡＲＧＥＴ（ｉ）時間、加湿ユニット１５が最大加湿量でフル運転される。これにより、流入水分量及び流出水分量に大きな変化がない限り、Ｔ＿ＴＡＲＧＥＴ（ｉ）時間後には目標湿度へ近づけることができ、目標湿度まで最短時間で到達が可能となる。
【００７３】
次いで、図７（ｂ）を参照して、時刻（ｉ）からＴ＿ＴＡＲＧＥＴ（ｉ）時間経過後の時刻（ｉｉ）における加湿制御処理の作用を説明する。図７（ｂ）に示す例では、時刻（ｉ）から時刻（ｉｉ）までの間に屋外空気（ＯＡ）の水分量が下がったため、結果として室内空気（ＲＡ）の相対湿度が目標湿度に到達していない。そこで、引き続き加湿ユニット１５が最大加湿量でフル運転されるように制御される。そして、最大加湿量で加湿された場合に目標とする温湿度における家全体の水分量Ｗ＿ＴＡＲＧＥＴに到達するまでの時間Ｔ＿ＴＡＲＧＥＴ（ｉｉ）が算出され、そのＴ＿ＴＡＲＧＥＴ（ｉｉ）時間、加湿ユニット１５が最大加湿量でフル運転される。
【００７４】
次いで、図７（ｃ）を参照して、時刻（ｉｉ）からＴ＿ＴＡＲＧＥＴ（ｉｉ）時間経過後の時刻（ｉｉｉ）における加湿制御処理の作用を説明する。図７（ｃ）に示す例では、時刻（ｉｉ）から時刻（ｉｉｉ）までの間に屋外空気（ＯＡ）の水分量が上がったため、結果として室内空気（ＲＡ）の相対湿度が目標湿度よりも高くなっている。そこで、加湿ユニット１５が加湿量ゼロで運転、又は、加湿ユニット１５の加湿が停止されるように制御される。そして、加湿量ゼロで加湿又は加湿停止された場合に目標とする温湿度における家全体の水分量Ｗ＿ＴＡＲＧＥＴに到達するまでの時間Ｔ＿ＴＡＲＧＥＴ（ｉｉｉ）が算出され、そのＴ＿ＴＡＲＧＥＴ（ｉｉｉ）時間、即ち、時刻（ｉｖ）となるまで、加湿ユニット１５が加湿量ゼロで運転、又は、加湿ユニット１５が停止される。以後、加湿制御処理は、以上のような処理を繰り返す。
【００７５】
このように、第２実施形態に係る給排型換気装置１は、加湿量制御部２１が加湿制御処理を実行することにより、室内空気（ＲＡ）への流入水分量及び流出水分量と、目標湿度とに基づいて、加湿ユニット１５による加湿量Ｈを制御するので、室内空気の湿度制御を効率よく行い、室内空気の湿度を一定とすることができる。
【００７６】
また、単位時間当たりの流入水分量と、単位時間当たりの流出水分量と、室内の体積と、目標湿度とに基づいて、室内空気（ＲＡ）の湿度が目標湿度に到達する到達時間が予測され、その予測された到達時間に基づいて加湿部が制御されるので、目標湿度まで最短時間で到達が可能となる。なお、屋外空気（ＯＡ）に含まれる水分量が大きく変化した場合、予測された到達時間経過後の室内空気（ＲＡ）の湿度が目標湿度から大きくずれる可能性がある。そのため、予測された到達時間の半分又は１／４等の時間が経過すると、改めて目標湿度までの到達時間を算出（予測）して、加湿ユニット１５を制御するようにしてもよい。これにより、加湿制御を細かく行うことができるので、精度良い制御を行うことができる。
【００７７】
また、加湿量の制御において、室内の相当隙間面積（Ｃ値）も考慮されるので、室内空気の相対湿度を精度よく目標湿度に近づけることができる。特に、相当隙間面積に関連して短時間当たりに室内に流入又は流出する水分変動量にも基づいて、目標湿度への到達時間を予測するので、その予測を精度よく行うことができる。よって、室内空気（ＲＡ）の相対湿度を目標湿度により効率よく近づけることができる。
【００７８】
更に、加湿量の制御において、熱交換素子１４により交換された水分量をも考慮されるので、室内空気の相対湿度を精度よく目標湿度に近づけることができる。特に、熱交換素子１４により交換された水分量にも基づいて、目標湿度への到達時間を予測するので、その予測を精度よく行うことができる。よって、室内空気（ＲＡ）の相対湿度を目標湿度により効率よく近づけることができる。
【００７９】
以上、実施形態に基づき本発明を説明したが、本発明は上記実施形態に何ら限定されるものではなく、本発明の趣旨を逸脱しない範囲内で種々の改良変形が可能であることは容易に推察できるものである。例えば、各実施形態は、それぞれ、他の実施形態が有する構成の一部又は複数部分を、その実施形態に追加し或いはその実施形態の構成の一部又は複数部分と交換等することにより、その実施形態を変形して構成するようにしても良い。また、上記各実施形態で挙げた数値は一例であり、他の数値を採用することは当然可能である。
【００８０】
例えば、第２実施形態では、単位時間当たりの流入水分量と、単位時間当たりの流出水分量と、室内の体積と、目標湿度に基づいて、室内空気（ＲＡ）の湿度が目標湿度に到達する到達時間を予測し、その予測した到達時間に基づいて加湿部を制御する場合について説明した。しかしながら、この場合、室内空気（ＲＡ）の湿度が目標湿度に近くなると、室内空気（ＲＡ）の湿度が目標湿度に到達するまでの到達時間（予測時間）が短くなり、過剰頻度で加湿ユニット１５の加湿量の制御が行われることとなる。
【００８１】
そこで、室内空気（ＲＡ）の湿度が目標湿度に到達するまでの到達時間（予測時間）が所定時間Ｔよりも短い場合は、第１実施形態と同様の加湿量の制御、即ち、単位時間当たりの流入水分量と、単位時間当たりの流出水分量と、室内の体積とに基づいて、所定時間Ｔ後の家全体の水分量（室内空気の湿度）を予測し、その予測結果と目標とする家全体の水分量（目標湿度）とを比較して、その比較結果に基づいて加湿量を変更するようにしてもよい。これにより、室内空気（ＲＡ）の湿度が目標湿度と大きく異なっている場合は、第２実施形態と同様の加湿量の制御を行うことで、早く湿度の調整を行うことができる。一方、室内空気（ＲＡ）の湿度が目標湿度と大きく異なっている場合は、第１実施形態と同様の加湿量の制御を行うことで、所定時間Ｔ毎に加湿量の制御が行われることになり、過剰頻度での加湿量の制御を抑制できる。
【００８２】
（第３実施形態）
次いで、図８及び図９及び図１０を参照して第３実施形態に係る給排型換気装置１について説明する。第１実施形態に係る給排型換気装置１は、内乱・外乱判定処理の判定結果に基づいて、換気風量のみを制御する。これに対し、第３実施形態に係る給排型換気装置１は、換気風路及び換気風量を制御する。
【００８３】
以下、第３実施形態に係る給排型換気装置１について、第１実施形態に係る給排型換気装置１と相違する点を中心に説明する。第１実施形態に係る給排型換気装置１と同一の構成については、同一の符号を付し説明を省略する。
【００８４】
図８に示すように、排気風路９上に風路切替ダンパ２３が設けられる。
加湿量制御部２１は、第１実施形態の図１の構成に加え、湿度予測部に基づき算出された過去予測水分量を記憶する第２記憶部と、過去に流入水分量算出部に基づき算出された過去流入水分量を記憶する第３記憶部とを備える。
【００８５】
風路切替ダンパ２３により、排気風路９を、熱交換素子１４を経由しないバイパス風路２４に切り替えることができる。
【００８６】
また、図９に示すように、給気風路８上に風路切替ダンパ２３を設けてもよい。この場合、風路切替ダンパ２３により、給気風路８を、熱交換素子１４を経由しないバイパス風路２４に切り替えることができる。
【００８７】
本実施形態の給排型換気装置１は、熱交換部（熱交換素子１４）で熱交換を行うモード（熱交換モード）と、給気風路８または排気風路９にバイパス風路２４を設けることにより熱交換部で熱交換を行わないモード（バイパスモード）を有する。
なお、図８及び図９の風路切替ダンパ２３は熱交換素子１４の上流側でも下流側でもよい。
【００８８】
図１０は、第３実施形態に係る給排型換気装置１の加湿量制御部２１により実行される内乱・外乱判定処理を示すフローチャートである。
【００８９】
この内乱・外乱判定処理（Ｓ１０１）では、加湿制御処理が安定した後、図４のフローチャートにて前述した内乱・外乱判定処理を用いて内乱・外乱の判定を行い、その判定結果に基づいて風路切替ダンパ２３、給気ファン１２と排気ファン１３による換気風量を制御する処理を、所定時間Ｔが経過する毎に実行する。
【００９０】
内乱・外乱判定処理（Ｓ１０１）では、まず加湿量制御部２１が風路切替ダンパ２３を熱交換モード（バイパス風路２４が閉）となるよう制御する（Ａ１）。
【００９１】
次いで、後述する給気ファン１２及び排気ファン１３の回転数変更による換気風量の増減を所定時間Ｔの経過後に調整する（Ａ２）。換気風量の調整は、設定換気風量Ｑまたは０．５回換気となるよう調整してもよい。
【００９２】
次いで、第２記憶部に記憶しているＷ＿ＮＥＸＴ＿ＰＡＳＴが、Ｗ＿ＮＯＷとほぼ等しいか否かを判断する（Ｓ１０２）。詳細は図４のＳ１０２と同一のため説明は割愛する。Ｗ＿ＮＥＸＴ＿ＰＡＳＴがＷ＿ＮＯＷとほぼ等しいと判断される場合は（Ｓ１０２：Ｙｅｓ）、現在の家全体の水分量が、所定時間Ｔ前に推定された家全体の水分量となっているので、内乱や外乱はなかったと判定し、風量調整による流入水分量及び流出水分量の再計算（Ａ６）を行い、内乱・外乱制御処理（Ｓ１０１）を終了し、加湿制御処理のＳ３（図２）の処理へ移行する。
【００９３】
一方、Ｗ＿ＮＥＸＴ＿ＰＡＳＴがＷ＿ＮＯＷと等しくないと判断される場合は（Ｓ１０２：Ｎｏ）、次いで、ＩＮ＿ＳＡ＿ＮＯＷが、第３記憶部に記憶しているＩＮ＿ＳＡ＿ＰＡＳＴとほぼ等しいか否かを判断する（Ｓ１０３）。詳細は図４のＳ１０３と同一のため説明は割愛する。
【００９４】
ＩＮ＿ＳＡ＿ＮＯＷがＩＮ＿ＳＡ＿ＰＡＳＴとほぼ等しいと判断される場合は（Ｓ１０３：Ｙｅｓ）、図５（ａ）に示すように、屋外から給気される給気空気に含まれる水分量に大きな変化がない場合と判断できる。よって、この場合、Ｗ＿ＮＥＸＴ＿ＰＡＳＴとＷ＿ＮＯＷとの相違は、屋内の特定室内における急な温湿度の変化に伴う内乱によるものであると判定する。そこで、特定室内における急な温湿度変化を緩和させるために、所定時間Ｔが経過するまで給気ファン１２及び排気ファン１３による風量を増加する（Ａ３）。
【００９５】
次いで、Ｗ＿ＮＯＷがＷ＿ＴＡＲＧＥＴより小さいか且つＩＮ＿ＳＡ＿ＮＯＷがＩＮ＿ＯＡ＿ＮＯＷより小さいか判断する（Ａ４）。ここで、外気水分量ＩＮ＿ＯＡ＿ＮＯＷは現在の室外側吸込口５から流入する外気（ＯＡ）の温湿度により下記算出式（１２）により算出される。
【００９６】
ＩＮ＿ＯＡ＿ＮＯＷ＝Ｑ＿ＩＮ×ａ（ＴＨ（ＯＡ））×ＲＨ（ＯＡ）／１００・・・（１２）
また、ＴＨ（ＯＡ）は、室外側温湿度センサ１７により検出された室外側吸込口５から吸い込まれる室外空気（ＯＡ）の現在の温度（単位：℃）であり、ａ（ＴＨ（ＯＡ））は、その室外空気（ＯＡ）の現在の温度における飽和水蒸気量（単位：ｇ／ｍ３）である。ＲＨ（ＯＡ）は、室外側温湿度センサ１７により検出された室外側吸込口５から吸い込まれる室外空気（ＯＡ）の現在の相対湿度（単位：％）である。
【００９７】
一方、Ｓ１０３の処理の結果、ＩＮ＿ＳＡ＿ＮＯＷがＩＮ＿ＳＡ＿ＰＡＳＴと等しくないと判断される場合は（Ｓ１０３：Ｎｏ）、図５（ｂ）に示すように、屋外から給気される給気空気に含まれる水分量に大きな変化があった場合と判断できる。よってこの場合、Ｗ＿ＮＥＸＴ＿ＰＡＳＴとＷ＿ＮＯＷとの相違は、屋外における急な温湿度の変化に伴う外乱によるものであると判定する。そこで、室外空気流入による室内温湿度変化を緩和するために、給気ファン１２による風量を減少する（Ａ８）、その後、風量減少による流入水分量及び流出水分量の再計算（Ａ６）を行い、内乱・外乱判定処理（Ｓ１０１）を終了し、加湿制御処理のＳ３（図２）の処理へ移行する。なお、（Ａ８）では給気ファン１２による換気風量を減少したが、この時、排気ファン１３による換気風量も減少させてもよい。
【００９８】
Ａ４の処理の結果、Ｗ＿ＮＯＷがＷ＿ＴＡＲＧＥＴより小さい且つＩＮ＿ＳＡ＿ＮＯＷがＩＮ＿ＯＡ＿ＮＯＷより小さいと判断される場合は（Ａ４：Ｙｅｓ）、熱交換素子１４による熱交換をさせないことで効果的に目標湿度へ到達できると判断できる。そのため、風路切替ダンパ２３を動作させバイパスモード（バイパス風路２４が開）へ切替を行う（Ａ５）。その後、風量減少による流入水分量及び流出水分量の再計算（Ａ６）を行い、内乱・外乱判定処理（Ｓ１０１）を終了し、加湿制御処理のＳ３（図２）の処理へ移行する。
【００９９】
一方、Ａ４の処理の結果、Ｗ＿ＮＯＷがＷ＿ＴＡＲＧＥＴより小さい且つＩＮ＿ＳＡ＿ＮＯＷがＩＮ＿ＯＡ＿ＮＯＷより小さいと判断されない場合は（Ａ４：Ｎｏ）、Ｗ＿ＮＯＷがＷ＿ＴＡＲＧＥＴより大きいか且つＩＮ＿ＳＡ＿ＮＯＷがＩＮ＿ＯＡ＿ＮＯＷより大きいか判断する（Ａ７）。
【０１００】
Ａ７の処理の結果、Ｗ＿ＮＯＷがＷ＿ＴＡＲＧＥＴより大きい且つＩＮ＿ＳＡ＿ＮＯＷがＩＮ＿ＯＡ＿ＮＯＷより大きいと判断される場合は（Ａ７：Ｙｅｓ）、熱交換素子１４による熱交換をさせないことで効果的に目標湿度へ到達できると判断できる。そのため、風路切替ダンパ２３を動作させバイパスモード（バイパス風路２４が開）へ切替を行う（Ａ５）。その後、風量減少による流入水分量及び流出水分量の再計算（Ａ６）を行い、内乱・外乱判定処理（Ｓ１０１）を終了し、加湿制御処理のＳ３（図２）の処理へ移行する。
【０１０１】
一方、Ａ７の処理の結果、Ｗ＿ＮＯＷがＷ＿ＴＡＲＧＥＴより小さいか且つＩＮ＿ＳＡ＿ＮＯＷがＩＮ＿ＯＡ＿ＮＯＷより小さいと判断されない場合は（Ａ７：Ｎｏ）、熱交換素子による熱交換をすることで効果的に目標湿度へ到達できると判断できる。そのため、風路切替ダンパ２３は動作させず熱交換モードで運転を継続する。その後、風量減少による流入水分量及び流出水分量の再計算（Ａ６）を行い、内乱・外乱判定処理（Ｓ１０１）を終了し、加湿制御処理のＳ３（図２）の処理へ移行する。
【０１０２】
（第４実施形態）
次いで、図１１及び図１２を参照して、第４実施形態に係る給排型換気装置１について説明する。第１実施形態に係る給排型換気装置１は、給気風路８から室内に給気される空気の給気温度を算出して加湿量を制御している。これに対し、第４実施形態に係る給排型換気装置１は、給気風路８から室内に給気される空気の温湿度を、温湿度センサで測定し、加湿量及び給気温度を制御する。
【０１０３】
以下、第４実施形態に係る給排型換気装置１について、第１実施形態に係る給排型換気装置１と相違する点を中心に説明する。第１実施形態に係る給排型換気装置１と同一の構成については、同一の符号を付し説明を省略する。
【０１０４】
第４実施形態に係る給排型換気装置１は、図１１に示すように、給気風路８上に第２室内側温湿度センサ１８及びヒータ１９が設けられる。
【０１０５】
図１２は、第４実施形態に係る給排型換気装置１の加湿量制御部２１により実行される加湿制御処理を示すフローチャートである。
【０１０６】
この加湿制御処理では、加湿制御処理の実行が開始されると、まず第１実施形態と同様にＳ１及びＳ２及びＳ３及びＳ４の処理を実行する。その結果、Ｗ＿ＮＯＷがＷ＿ＴＡＲＧＥＴ以上の場合（Ｓ３：Ｎｏ）、または、Ｗ＿ＮＥＸＴがＷ＿ＴＡＲＧＥＴ以上の場合（Ｓ４：Ｎｏ）の場合は、加湿ユニット１５の加湿をオフするか、又は、加湿量を低減する（Ｓ６、Ｓ７）。
【０１０７】
一方、Ｓ４の処理の結果、Ｗ＿ＮＥＸＴがＷ＿ＴＡＲＧＥＴ以下である場合（Ｓ４：Ｙｅｓ）は、上記（７）式にて求められるＴＨ（ＳＡ）と、第２室内側温湿度センサ１８の測定温度ＴＨ＿ｍｅａｓ（ＳＡ）との差を算出し、所定温度Ｔａと比較する（Ｓ４１）。
【０１０８】
なお、ＴＨ（ＳＡ）は加湿ユニット１５により加湿されていない場合に、室内側吹出口７から室内に給気される空気の推定温度である。ＴＨ＿ｍｅａｓ（ＳＡ）は加湿ユニット１５により加湿された後の温度を示している。ＴＨ（ＳＡ）とＴＨ＿ｍｅａｓ（ＳＡ）を比較することで、給気温度（測定温度ＴＨ＿ｍｅａｓ（ＳＡ））が加湿に伴う気化熱の影響で低下しているかを判定することが可能となる。Ｓ４１の処理の結果、ＴＨ（ＳＡ）とＴＨ＿ｍｅａｓ（ＳＡ）の差がＴａ以上である場合（Ｓ４１：Ｙｅｓ）、加湿による気化熱の影響で給気温度が低下していると判断できる。そのため、室内での冷風感を防止するためにヒータをＯＮさせることで給気温度を上昇させる（Ｓ４１ａ）。
【０１０９】
一方、Ｓ４１の処理の結果、ＴＨ（ＳＡ）とＴＨ＿ｍｅａｓ（ＳＡ）の差がＴａより小さい場合（Ｓ４１：Ｎｏ）、加湿に伴う気化熱の影響で室内側吹出口７から室内に給気される空気の給気温度が低下していない、または、加湿中ではないと判断し、ヒータをＯＦＦする（Ｓ４１ｂ）。
【０１１０】
なお、Ｔａの値は、気化熱の影響により給気温度（ＳＡ）が下がると想定される温度の間で設定することが望ましい。具体的には、２℃から８℃の間がよい。
【０１１１】
次いで、Ｓ４１ａ及びＳ４１ｂを実行した後に、加湿ユニット１５の加湿をオンするか、または、加湿量を増加するか、または加湿量を維持する（Ｓ５ａ）。
【０１１２】
なお、Ｓ５ａ、Ｓ６及びＳ７の処理において増減させる加湿ユニット１５の加湿量Ｈ（単位：ｇ／ｈ）は、上記（１０）式により算出する。また、（１０）式にて算出した加湿量Ｈが、加湿ユニット１５をフル運転させた場合の最大加湿量を超えた場合は、加湿ユニット１５を最大加湿量でフル運転させる。なお、ヒータがＯＦＦの場合、ヒータをＯＮすることで最大加湿量を増加させてもよい。この場合、Ｗ＿ＴＡＲＧＥＴの到達時間を、より短時間で実現できる。
【０１１３】
一方、Ｓ６、Ｓ７の処理を実行した後、加湿ユニット１５が加湿中であるかを判定する（Ｓ４２）。その結果、加湿中である場合（Ｓ４２：Ｙｅｓ）、上記（７）式にて求められるＴＨ（ＳＡ）と、第２室内側温湿度センサ１８の測定温度ＴＨ＿ｍｅａｓ（ＳＡ）との差を算出し、Ｔａと比較する（Ｓ４３）。Ｓ４３の処理の結果、ＴＨ（ＳＡ）とＴＨ＿ｍｅａｓ（ＳＡ）の差がＴａ以上である場合（Ｓ４３：Ｙｅｓ）、加湿による気化熱の影響で給気温度が低下していると判断することができ、ヒータをＯＮすることで給気温度を上昇させ、給気空気の冷風感を抑制することが可能となる（Ｓ４３ａ）。
【０１１４】
次いで、Ｓ４３の処理の結果、ヒータをＯＮした場合（Ｓ４３ａ）、ヒータがＯＦＦであった場合と比較して、加湿量が増加する可能性がある。そのため、加湿量を低減、または、維持する制御を実行する（Ｓ４３ｃ）。これは、Ｓ６、Ｓ７の処理を実行したときに、ヒータがＯＦＦの状態で加湿ユニット１５の加湿量Ｈ（単位：ｇ／ｈ）を決定していた場合、Ｓ６，Ｓ７の処理で設定した加湿量と、Ｓ４３ａの処理後の実際の加湿量が異なるためである。
【０１１５】
一方、Ｓ４３の処理の結果、ＴＨ（ＳＡ）とＴＨ＿ｍｅａｓ（ＳＡ）の差がＴａより小さい場合（Ｓ４３：ＮＯ）、加湿による気化熱の影響で給気温度が低下していない、または、加湿をしていないと判断し、ヒータをＯＦＦする（Ｓ４３ｂ）。次いで、ヒータをＯＦＦした場合（Ｓ４３ｂ）、ヒータがＯＮであった場合と比較して、加湿量が減少する可能性がある。そのため、加湿量を増加、または、維持する制御を実行する（Ｓ４３ｃ）。これは、Ｓ６、Ｓ７の処理を実行したときに、ヒータがＯＮの状態で加湿ユニット１５の加湿量Ｈ（単位：ｇ／ｈ）を決定していた場合、Ｓ６，Ｓ７の処理で設定した目標値と異なるためである。
【０１１６】
Ｓ４２の処理の結果、加湿中でないと判定した場合（Ｓ４２：Ｎｏ）は、ＴＨ（ＳＡ）と室内で冷風感を感じる所定温度ＴＨ０を比較する。ＴＨ（ＳＡ）がＴＨ０以下である場合（Ｓ４５：Ｙｅｓ）は、給気温度が低下しており、暖房運転中にも関わらず室内で冷風感を感じる。そのため、ヒータをＯＮすることで給気温度（ＳＡ）を上昇させ、室内での冷風感を抑制することができる。ここで、ＴＨ０は、冷風感を感じる１５℃〜２０℃程度が望ましい。なお、ＴＨ（ＳＡ）の代わりにＴＨ＿ｍｅａｓ（ＳＡ）を用いてもよい。これは、加湿中でない場合、ＴＨ（ＳＡ）とＴＨ＿ｍｅａｓ（ＳＡ）は等しいためである。
【０１１７】
一方、ＴＨ（ＳＡ）がＴＨ０以上である場合（Ｓ４５：Ｎｏ）は、ヒータをＯＦＦさせる。そして、所定時間Ｔ経過後に、Ｓ１の処理に戻り、再びＳ１からの処理を実行する。
【０１１８】
次いで、Ｓ５ａ、または、Ｓ４３ｃ、または、Ｓ４３ｄの処理の後、ＴＨ＿ｍｅａｓ（ＳＡ）で測定した温度における給気空気の現在の飽和水蒸気量ａ（ＴＨ＿ｍｅａｓ（ＳＡ））（単位：ｇ／ｍ３）と、次の（１３）式から算出される室内側吹出口から給気される空気の現在の水分量Ｗ（ＴＨ＿ｍｅａｓ（ＳＡ））（単位：ｇ／ｍ３）とを比較する。その結果、Ｗ（ＴＨ＿ｍｅａｓ（ＳＡ））がａ（ＴＨ＿ｍｅａｓ（ＳＡ））に近い状態にあると判断した場合（Ｓ４４：Ｎｏ）は、水分量が露点を越えダクト内に結露が発生する恐れがあるため、加湿量制御部が加湿量を抑制し、ＳＡダクト内結露を防止する。
【０１１９】
Ｗ（ＴＨ＿ｍｅａｓ（ＳＡ））＝ａ（ＴＨ＿ｍｅａｓ（ＳＡ））×ＲＨ＿ｍｅａｓ（ＳＡ）／１００・・・（１３）
ここで、ＲＨ＿ｍｅａｓ（ＳＡ）は、第２室内側温湿度センサの１８により測定される相対湿度である。また、（ＴＨ＿ｍｅａｓ（ＳＡ））がａ（ＴＨ＿ｍｅａｓ（ＳＡ））に近い状態にあるとは、（ＴＨ＿ｍｅａｓ（ＳＡ））がａ（ＴＨ＿ｍｅａｓ（ＳＡ））のＷｘ％を超えている場合を指す。Ｗｘは８０％程度が望ましい。しかし、給排型換気装置１の設置される家の構造によって、室内側吹出口７から室内に繋がるダクト外部の温度は大きく変化するため、給排型換気装置１の設置環境に応じてＷｘを変更してもよい。一方、Ｗ（ＴＨ＿ｍｅａｓ（ＳＡ））がａ（ＴＨ＿ｍｅａｓ（ＳＡ））のＷｘ％以下の場合（Ｓ４４：Ｙｅｓ）は結露の恐れが低いため、現在の加湿量を維持する。そして、所定時間Ｔ経過後に、Ｓ１の処理に戻り、再びＳ１からの処理を実行する。
【０１２０】
なお、ヒータ１９は、空気を加熱できるヒータであり、特に限定されるものではない。ヒータ１９は、温調コイルなどであってもよい。
【０１２１】
（第５実施形態）
次いで、図１３及び図１４を参照して第５実施形態に係る給排型換気装置１について説明する。第１実施形態に係る給排型換気装置１は内乱・外乱判定処理を過去に予測した水分量と現在の水分量を比較した際の判定結果に基づいて換気風量を制御する。これに対し、第５実施形態に係る給排型換気装置１は制御部２０が記憶しているモータ電流もしくはモータの回転数の値を比較した際の判定結果に基づいて給気風量および排気風量を制御する。
【０１２２】
以下、第５実施形態に係る給排型換気装置１について、第１実施形態に係る給排型換気装置１と相違する点を中心に説明する。第１実施形態にかかる給排型換気装置１と同一の構成については、同一の符号を付し説明を省略する。
【０１２３】
図１３は第５実施形態に係る給排型換気装置１の制御部２０が記憶している給気ファン１２及び排気ファン１３のモータ電流値による判定結果に基づいて実行される内乱・外乱判定処理を示すフローチャートである。
【０１２４】
この内乱・外乱判定処理（Ｓ１０１）は、加湿制御処理が安定した後に実行する。
【０１２５】
次いで、制御部２０が記憶しているＩ＿ＳＡ＿ＰＡＳＴ及びＩ＿ＥＡ＿ＰＡＳＴの算出を行う（Ｓ５１ａ）。Ｉ＿ＳＡ＿ＰＡＳＴは制御部２０が記憶している所定時間前の給気ファン１２のモータ電流値を示す。Ｉ＿ＥＡ＿ＰＡＳＴは制御部２０が記憶している所定時間前の排気ファン１３のモータ電流値を示す。
【０１２６】
次いで、制御部２０が記憶しているＩ＿ＳＡ＿ＮＯＷ及びＩ＿ＥＡ＿ＮＯＷの算出を行う（Ｓ５２ａ）。Ｉ＿ＳＡ＿ＮＯＷは制御部２０が記憶している現在の給気ファン１２のモータ電流値を示す。Ｉ＿ＥＡ＿ＮＯＷは制御部２０が記憶している現在の排気ファン１３のモータ電流値を示す。
【０１２７】
次いで、制御部２０が記憶しているＩ＿ＳＡ＿ＰＡＳＴがＩ＿ＳＡ＿ＮＯＷとほぼ等しいか否かを判定する（Ｓ５３ａ）。
【０１２８】
Ｉ＿ＳＡ＿＿ＰＡＳＴがＩ＿ＳＡ＿ＮＯＷと異なると判定される場合は（Ｓ５３ａ：ＮＯ）内乱もしくは外乱が発生したと判定しＳ５４ａの処理へ移行する。
【０１２９】
また、Ｉ＿ＳＡ＿ＰＡＳＴがＩ＿ＳＡ＿ＮＯＷとほぼ等しいと判定される場合は（Ｓ５３ａ：ＹＥＳ）Ｓ５９ａの処理へ移行する。
【０１３０】
次いで、Ｓ５３ａにてＩ＿ＳＡ＿ＮＯＷとＩ＿ＳＡ＿ＰＡＳＴが異なると判定される場合（Ｓ５３ａ：ＮＯ）、Ｉ＿ＳＡ＿ＮＯＷがＩ＿ＳＡ＿ＰＡＳＴより大きいか否かを判定する（Ｓ５４ａ）。
【０１３１】
Ｉ＿ＳＡ＿ＮＯＷがＩ＿ＳＡ＿ＰＡＳＴに対して小さいと判定される場合（Ｓ５４ａ：ＮＯ）内乱により部屋が負圧化となり給気ファン１２の仕事量が低下する、例えばレンジフードの駆動等、本発明の給排型換気装置１以外の要因により排気が行われたと判断できる。そこで所定時間が経過するまで給気ファン１２より給気される風量を増加させる（Ｓ５５ａ）。
【０１３２】
また、Ｉ＿ＳＡ＿ＮＯＷがＩ＿ＳＡ＿ＰＡＳＴに対して大きいと判定される場合（Ｓ５４ａ：ＹＥＳ）内乱もしくは外乱により部屋が正圧化となり給気ファン１２の仕事量が増えたと判断できる。この際Ｓ５６ａの処理へ移行する。
【０１３３】
次いで、Ｗ＿ＮＯＷがＷ＿ＴＡＲＧＥＴに対して低いか否かを判定する（Ｓ５６ａ）。Ｗ＿ＮＯＷとＷ＿ＴＡＲＧＥＴは前述にて記載されている内容と同様のため説明を割愛する。
【０１３４】
Ｗ＿ＮＯＷがＷ＿ＴＡＲＧＥＴに対して高いと判定される場合（Ｓ５６ａ：ＮＯ）、現在の部屋の水分量が目標の水分量に対して過加湿状態であると判断できる。この場合、給気ファン１２の風量を低下する事で目標湿度に近づける処理を行う（Ｓ５７ａ）。
【０１３５】
また、Ｗ＿ＮＯＷがＷ＿ＴＡＲＧＥＴに対して低いと判定される場合（Ｓ５６ａ：ＹＥＳ）、内乱もしくは外乱により目標湿水分量より部屋の水分量が低いと判定し、給気風量を増加もしくは維持をする（Ｓ５８ａ）。
【０１３６】
Ｓ５５ａ及びＳ５７ａ及びＳ５８ａの処理後、変更後の給気風量のパラメータに基づいて流入水分量及び流出水分量の再計算（Ｓ６５ａ）を行う。
【０１３７】
Ｓ６５ａにて再計算を行った後、内乱・外乱判定処理（Ｓ１０１）を終了し、加湿制御処理のＳ３（図２）の処理へ移行する。
【０１３８】
次いで、Ｓ５３ａにてＩ＿ＳＡ＿ＮＯＷとＩ＿ＳＡ＿ＰＡＳＴが等しいと判定される場合（Ｓ５３ａ：ＹＥＳ）の処理（Ｓ５９ａ）について説明する。
【０１３９】
制御部２０が記憶しているＩ＿ＥＡ＿ＰＡＳＴがＩ＿ＥＡ＿ＮＯＷとほぼ等しいか否かを判定する（Ｓ５９ａ）。
【０１４０】
Ｉ＿ＥＡ＿ＰＡＳＴがＩ＿ＥＡ＿ＮＯＷと異なると判定される場合は（Ｓ５９ａ：ＮＯ）内乱もしくは外乱が発生したと判定しＳ６０ａの処理へ移行する。
【０１４１】
また、Ｉ＿ＥＡ＿ＰＡＳＴがＩ＿ＥＡ＿ＮＯＷとほぼ等しいと判定される場合は（Ｓ５９ａ：ＹＥＳ）内乱・外乱が無かったと判定しＳ３の処理へ移行する。Ｓ３の詳細は図４記載のＳ３と同様のため割愛する。
【０１４２】
次いで、Ｓ５９ａにてＩ＿ＥＡ＿ＮＯＷとＩ＿ＥＡ＿ＰＡＳＴが異なると判定される場合（Ｓ５９ａ：ＮＯ）、Ｉ＿ＥＡ＿ＮＯＷがＩ＿ＥＡ＿ＰＡＳＴより大きいか否かを判定する（Ｓ６０ａ）。
【０１４３】
Ｉ＿ＥＡ＿ＮＯＷがＩ＿ＥＡ＿ＰＡＳＴに対して小さいと判定される場合（Ｓ６０ａ：ＮＯ）内乱により部屋が負圧化となり排気ファン１３の仕事量が低下する、例えばレンジフードの駆動等、本発明の給排型換気装置１以外の要因により排気が行われたと判断できる。そこで所定時間が経過するまで排気ファン１３より排気される風量を減少させる（Ｓ６１ａ）。
【０１４４】
また、Ｉ＿ＥＡ＿ＮＯＷがＩ＿ＥＡ＿ＰＡＳＴに対して大きいと判定される場合（Ｓ６０ａ：ＹＥＳ）内乱もしくは外乱により部屋が正圧化となり排気ファン１３の仕事量が増加したと判断できる。この際Ｓ６２ａの処理へ移行する。
【０１４５】
次いで、Ｓ６０ａにてＩ＿ＥＡ＿ＮＯＷがＩ＿ＥＡ＿ＰＡＳＴに対して大きいと判定される場合（Ｓ６０ａ：ＮＯ）、Ｗ＿ＮＯＷがＷ＿ＴＡＲＧＥＴに対して低いか否かを判定する（Ｓ６２ａ）。Ｗ＿ＮＯＷとＷ＿ＴＡＲＧＥＴは前述にて記載されている内容と同様のため説明を割愛する。
【０１４６】
Ｗ＿ＮＯＷがＷ＿ＴＡＲＧＥＴに対して高いと判定される場合（Ｓ６２ａ：ＮＯ）、現在の部屋の水分量が目標の水分量に対して過加湿状態であると判断できる。この場合、排気ファン１３の風量を増加させる事で目標湿度に近づける処理を行う（Ｓ６３ａ）。
【０１４７】
また、Ｗ＿ＮＯＷがＷ＿ＴＡＲＧＥＴに対して低いと判定される場合（Ｓ６２ａ：ＹＥＳ）、内乱もしくは外乱により目標湿水分量より部屋の水分量が低いと判定し、排気風量を減少もしくは維持をする（Ｓ６４ａ）
Ｓ６１ａ及びＳ６３ａ及びＳ６４ａの処理後、変更後の排気風量のパラメータに基づいて流入水分量及び流出水分量の再計算（Ｓ６５ａ）を行う。
【０１４８】
Ｓ６５ａにて再計算を行った後、内乱・外乱判定処理（Ｓ１０１）を終了し、加湿制御処理のＳ３（図２）の処理へ移行する。
【０１４９】
次いで、図１３の変形例である図１４について説明する。
【０１５０】
図１４は第５実施形態の変形例に係る給排型換気装置１の制御部２０が記憶している給気ファン１２及び排気ファン１３のモータの回転数による判定結果に基づいて実行される内乱・外乱判定処理を示すフローチャートである。
【０１５１】
この内乱・外乱判定処理（Ｓ１０１）は、加湿制御処理が安定した後に実行する。
【０１５２】
次いで、制御部２０が記憶しているｎ＿ＳＡ＿ＰＡＳＴ及びｎ＿ＥＡ＿ＰＡＳＴの算出を行う（Ｓ５１ｂ）。ｎ＿ＳＡ＿ＰＡＳＴは制御部２０が記憶している所定時間前の給気ファン１２のモータの回転数を示す。ｎ＿ＥＡ＿ＰＡＳＴは制御部２０が記憶している所定時間前の排気ファン１３のモータの回転数を示す。
【０１５３】
次いで、制御部２０が記憶しているｎ＿ＳＡ＿ＮＯＷ及びｎ＿ＥＡ＿ＮＯＷの算出を行う（Ｓ５２ｂ）。ｎ＿ＳＡ＿ＮＯＷは制御部２０が記憶している現在の給気ファン１２のモータの回転数を示す。ｎ＿ＥＡ＿ＮＯＷは制御部２０が記憶している現在の排気ファン１３のモータの回転数を示す。
【０１５４】
次いで、制御部２０が記憶しているｎ＿ＳＡ＿ＰＡＳＴがｎ＿ＳＡ＿ＮＯＷとほぼ等しいか否かを判定する（Ｓ５３ｂ）。
【０１５５】
ｎ＿ＳＡ＿＿ＰＡＳＴがｎ＿ＳＡ＿ＮＯＷと異なると判定される場合は（Ｓ５３ｂ：ＮＯ）内乱もしくは外乱が発生したと判定しＳ５４ｂの処理へ移行する。
【０１５６】
またｎ＿ＳＡ＿ＰＡＳＴがｎ＿ＳＡ＿ＮＯＷとほぼ等しいと判定される場合は（Ｓ５３ｂ：ＹＥＳ）Ｓ５９ｂの処理へ移行する。
【０１５７】
次いで、Ｓ５３ｂにてｎ＿ＳＡ＿ＮＯＷとｎ＿ＳＡ＿ＰＡＳＴが異なると判定される場合（Ｓ５３ｂ：ＮＯ）、ｎ＿ＳＡ＿ＮＯＷがｎ＿ＳＡ＿ＰＡＳＴより大きいか否かを判定する（Ｓ５４ｂ）。
【０１５８】
ｎ＿ＳＡ＿ＮＯＷがｎ＿ＳＡ＿ＰＡＳＴに対して小さいと判定される場合（Ｓ５４ｂ：ＮＯ）内乱により部屋が負圧化となり給気ファン１２の仕事量が低下したと判断できる。そこで所定時間が経過するまで給気ファン１２より給気される風量を増加させる（Ｓ５５ｂ）。
【０１５９】
また、ｎ＿ＳＡ＿ＮＯＷがｎ＿ＳＡ＿ＰＡＳＴに対して大きいと判定される場合（Ｓ５４ｂ：ＹＥＳ）内乱もしくは外乱により部屋が正圧化となり給気ファン１２の仕事量が増加したと判断できる。この際Ｓ５６ｂの処理へ移行する。
【０１６０】
次いで、Ｗ＿ＮＯＷがＷ＿ＴＡＲＧＥＴに対して低いか否かを判定する（Ｓ５６ｂ）。Ｗ＿ＮＯＷとＷ＿ＴＡＲＧＥＴは前述にて記載されている内容と同様のため説明を割愛する。
【０１６１】
Ｗ＿ＮＯＷがＷ＿ＴＡＲＧＥＴに対して高いと判定される場合（Ｓ５６ｂ：ＮＯ）、現在の部屋の水分量が目標の水分量に対して過加湿状態であると判断できる。この場合、給気ファン１２の風量を低下する事で目標湿度に近づける処理を行う（Ｓ５７ｂ）。
【０１６２】
また、Ｗ＿ＮＯＷがＷ＿ＴＡＲＧＥＴに対して低いと判定される場合（Ｓ５６ｂ：ＹＥＳ）、内乱もしくは外乱により目標湿水分量より部屋の水分量が低いと判定し、給気風量を増加もしくは維持をする（Ｓ５８ｂ）。
【０１６３】
Ｓ５５ｂ及びＳ５７ｂ及びＳ５８ｂの処理後、変更後の給気風量のパラメータに基づいて流入水分量及び流出水分量の再計算（Ｓ６５ｂ）を行う。
【０１６４】
Ｓ６５ｂにて再計算を行った後、内乱・外乱判定処理（Ｓ１０１）を終了し、加湿制御処理のＳ３（図２）の処理へ移行する。
【０１６５】
次いで、Ｓ５３ｂにてｎ＿ＳＡ＿ＮＯＷとｎ＿ＳＡ＿ＰＡＳＴが等しいと判定される場合（Ｓ５３ｂ：ＹＥＳ）の処理（Ｓ５９ｂ）について説明する。
【０１６６】
制御部２０が記憶しているｎ＿ＥＡ＿ＰＡＳＴがｎ＿ＥＡ＿ＮＯＷとほぼ等しいか否かを判定する（Ｓ５９ｂ）。
【０１６７】
ｎ＿ＥＡ＿ＰＡＳＴがｎ＿ＥＡ＿ＮＯＷと異なると判定される場合は（Ｓ５９ｂ：ＮＯ）内乱もしくは外乱が発生したと判定しＳ６０ｂの処理へ移行する。
【０１６８】
また、ｎ＿ＥＡ＿ＰＡＳＴがｎ＿ＥＡ＿ＮＯＷとほぼ等しいと判定される場合は（Ｓ５９ｂ：ＹＥＳ）内乱・外乱が無かったと判定しＳ３の処理へ移行する。Ｓ３の詳細は図４記載のＳ３と同様のため割愛する。
【０１６９】
次いで、Ｓ５９ｂにてｎ＿ＥＡ＿ＮＯＷとｎ＿ＥＡ＿ＰＡＳＴが異なると判定される場合（Ｓ５９ｂ：ＮＯ）、ｎ＿ＥＡ＿ＮＯＷがｎ＿ＥＡ＿ＰＡＳＴより大きいか否かを判定する（Ｓ６０ｂ）。
【０１７０】
ｎ＿ＥＡ＿ＮＯＷがｎ＿ＥＡ＿ＰＡＳＴに対して小さいと判定される場合（Ｓ６０ｂ：ＮＯ）内乱により部屋が負圧化となり排気ファン１３の仕事量が低下したと判断できる。そこで所定時間が経過するまで排気ファン１３より排気される風量を増加させる（Ｓ６１ｂ）。
【０１７１】
また、ｎ＿ＥＡ＿ＮＯＷがｎ＿ＥＡ＿ＰＡＳＴに対して大きいと判定される場合（Ｓ６０ｂ：ＹＥＳ）内乱もしくは外乱により部屋が正圧化となり排気ファン１３の仕事量が増加したと判断できる。この際Ｓ６２ｂの処理へ移行する。
【０１７２】
次いで、Ｗ＿ＮＯＷがＷ＿ＴＡＲＧＥＴに対して低いか否かを判定する（Ｓ６２ｂ）。Ｗ＿ＮＯＷとＷ＿ＴＡＲＧＥＴは前述にて記載されている内容と同様のため説明を割愛する。
【０１７３】
Ｗ＿ＮＯＷがＷ＿ＴＡＲＧＥＴに対して高いと判定される場合（Ｓ６２ｂ：ＮＯ）、現在の部屋の水分量が目標の水分量に対して過加湿状態であると判断できる。この場合、排気ファン１３の風量を増加する事で目標湿度に近づける処理を行う（Ｓ６３ｂ）。
【０１７４】
また、Ｗ＿ＮＯＷがＷ＿ＴＡＲＧＥＴに対して低いと判定される場合（Ｓ６２ｂ：ＹＥＳ）、内乱もしくは外乱により目標湿水分量より部屋の水分量が低いと判定し、排気風量を減少もしくは維持をする（Ｓ６４ｂ）。
【０１７５】
Ｓ６１ｂ及びＳ６３ｂ及びＳ６４ｂの処理後、変更後の排気風量のパラメータに基づいて流入水分量及び流出水分量の再計算（Ｓ６５ｂ）を行う。
【０１７６】
Ｓ６５ｂにて再計算を行った後、内乱・外乱判定処理（Ｓ１０１）を終了し、加湿制御処理のＳ３（図２）の処理へ移行する。
【０１７７】
また、上記各実施形態では、加湿ユニット１５として水破砕式加湿ユニットを用いる場合について説明したが、必ずしもこれに限られるものではない。例えば、加湿ユニット１５として、風量により加湿量の調整を行うものであってもよい。また、加湿ユニット１５の前段にヒータを設け、ヒータによる加温によって加湿ユニット１５の加湿量を調整するものであってもよい。
【０１７８】
なお、給気風路８において熱交換素子１４よりも室内側吹出口７側に、室内側吹出口７から吹き出される空気の温度と湿度とを検出するセンサを設けていてもよい。また、排気風路９において熱交換素子１４よりも室外側吹出口４側に、室外側吹出口４から吹き出される空気の温度と湿度とを検出するセンサを設けていてもよい。そして、加湿量を制御するにあたり、これらのセンサを適宜用いてもよい。これにより、例えば式（７）、式（８）による算出が不要となり、より精度よく加湿量を制御することができる。
【０１７９】
また、室外側吹出口４、室外側吸込口５、室内側吸込口６及び室内側吹出口７は筐体２の同一側面、例えば天面に設けられていてもよい。
【０１８０】
なお、Ｃ値による流入又は流出水分量は必ずしも考慮される必要がなく、気密性の高い住宅であればＣ値を考慮することなく上述の制御を行っても精度よく目標湿度を維持できる。
【０１８１】
また、目標温湿度記憶部２２は、目標温度記憶部と目標湿度記憶部（第１記憶部）に分割して設けてもよい。
【０１８２】
以上、本発明に係る換気装置について、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【０１８３】
本発明に係る換気装置は、室内空気を屋外へ排出し、屋外空気を室内へ供給して室内の換気を行う換気装置として有効である。
【符号の説明】
【０１８４】
１    給排型換気装置
２    筐体
４    室外側吹出口
５    室外側吸込口
６    室内側吸込口
７    室内側吹出口
８    給気風路
９    排気風路
１２    給気ファン
１３    排気ファン
１４    熱交換素子
１５    加湿ユニット
１６    第１室内側温湿度センサ
１７    室外側温湿度センサ
１８    第２室内側温湿度センサ
１９    ヒータ
２０    制御部
２１    加湿量制御部
２２    目標温湿度記憶部（第１記憶部に該当）
２３    風路切替ダンパ
２４    バイパス風路
【図１】
2019148408.tif 000003
【図２】
2019148408.tif 000004
【図３】
2019148408.tif 000005
【図４】
2019148408.tif 000006
【図５】
2019148408.tif 000007
【図６】
2019148408.tif 000008
【図７】
2019148408.tif 000009
【図８】
2019148408.tif 000010
【図９】
2019148408.tif 000011
【図１０】
2019148408.tif 000012
【図１１】
2019148408.tif 000013
【図１２】
2019148408.tif 000014
【図１３】
2019148408.tif 000015
【図１４】
2019148408.tif 000016